(57)【要約】  便器の内側表面に洗浄および／または消臭化学薬品をスプレーするための装置が開示される。装置は、化学薬品用の容器と、スプレーノズルであって、これを通って化学薬品を横方向にノズルの周囲のまわりにスプレーすることができるスプレーノズルと、容器およびスプレーノズルに流体連通するコンジットと、化学薬品を容器からコンジットを通ってスプレーノズルへ送出するための流体送出手段と、便器のへりの近くにスプレーノズルを取り付けるための手段と、を含む。自動または手動の便器洗浄装置のスプレーノズルは、化学薬品を便器の内側表面の円周全体に加え、それによって便器全体が便器の内側円周のまわりを洗浄されるように、作動することができる。
2009520896.tif 000002
【特許請求の範囲】
【請求項１】
便器の内側表面に化学薬品をスプレーするための装置であって、
前記化学薬品用の容器と、
スプレーノズルであって、これを通って前記化学薬品を横方向に前記ノズルの周囲のまわりの少なくとも途中にスプレーすることができるスプレーノズルと、
前記容器および前記スプレーノズルに流体連通するコンジットと、
化学薬品を前記容器から前記コンジットを通って前記スプレーノズルへ送出するための流体送出手段と、
前記便器のへりの近くに前記スプレーノズルを取り付けるための手段と、
を備える、装置。
【請求項２】
前記スプレーノズルは、前記化学薬品を横方向に前記ノズルの周囲全体のまわりにスプレーすることができるように構成される、請求項１に記載の装置。
【請求項３】
前記スプレーノズルは回転ノズルである、請求項１に記載の装置。
【請求項４】
前記スプレーノズルは、らせん状溝を有する流体スピナーと、前記らせん状溝を出る前記化学薬品によって接触されるときに回転するデフレクタプレートと、を含む、請求項３に記載の装置。
【請求項５】
前記容器は加圧され、
前記流体送出手段は、前記容器に噴射剤と、前記コンジットに弁とを備え、前記弁は、化学薬品を前記容器から前記コンジットを通って前記スプレーノズルへ送出するために開位置を有する、請求項１に記載の装置。
【請求項６】
前記噴射剤は、炭化水素系噴射剤、空気、窒素、および、二酸化炭素からなる群から選択される、請求項５に記載の装置。
【請求項７】
前記容器用のケースであって、前記弁を前記開位置内に動かすための作動手段を含むケースをさらに備える、請求項５に記載の装置。
【請求項８】
前記流体送出手段は、（ｉ）前記弁を前記開位置内に動かし、スプレーサイクルの間中、前記弁を前記開位置に保つためのアクチュエータと、（ｉｉ）前記スプレーサイクルを自動的に開始し終了するためのタイミング回路とをさらに備える、請求項５に記載の装置。
【請求項９】
前記流体送出手段は、前記便器の近くの人の存在を検出するために近接センサをさらに備え、前記近接センサは、前記スプレーサイクルの自動開始を防止するために前記タイミング回路に電気連通する、請求項８に記載の装置。
【請求項１０】
前記流体送出手段は、前記ポンプが作動されるときに化学薬品を前記容器から前記コンジットを通って前記スプレーノズルへ送出するためのポンプを備える、請求項１に記載の装置。
【請求項１１】
前記ポンプは、スプレーサイクル中に作動され、
前記流体送出手段は、前記スプレーサイクルを自動的に開始し終了するためのタイミング回路を含む、請求項１０に記載の装置。
【請求項１２】
前記流体送出手段は、前記便器の近くの人の存在を検出するために近接センサをさらに備え、前記近接センサは、前記スプレーサイクルの自動開始を防止するために、前記タイミング回路に電気連通する、請求項１１に記載の装置。
【請求項１３】
前記ポンプは、ベインポンプ、インペラ駆動ポンプ、蠕動ポンプ、歯車駆動ポンプ、ベローズポンプ、および、ピストンポンプからなる群から選択される、請求項１０に記載の装置。
【請求項１４】
前記容器用のケースであって、前記ポンプを作動するための作動手段を含むケースをさらに備える、請求項１０に記載の装置。
【請求項１５】
前記スプレーノズルを取り付けるための手段は、基部壁を有し、前記基部壁から離れて延出する対向して間隔をおいて離れた側部壁を有するクリップを備える、請求項１に記載の装置。
【請求項１６】
前記クリップの前記対向して間隔をおいて離れた側部壁は、前記対向して間隔をおいて離れた側部壁の間の距離が調整可能であるように、互いに向けて且つ互いから離れて動くことができる、請求項１５に記載の装置。
【請求項１７】
前記スプレーノズルを取り付けるための手段は、ブラケットと、トイレに取り付けるために少なくとも１つの吸着カップを有する可撓性のある取付ストリップとを備える、請求項１に記載の装置。
【請求項１８】
前記スプレーノズルを取り付けるための手段は吸着装置を備える、請求項１に記載の装置。
【請求項１９】
前記スプレーノズルを取り付けるための手段は接着材料を備える、請求項１に記載の装置。
【請求項２０】
前記容器は、半透明の壁を有する、請求項１に記載の装置。
【請求項２１】
前記容器用のケースであって、容器を挿入し且つ容器を取り外すためのアクセスドアを含むケースをさらに備える、請求項１に記載の装置。
【請求項２２】
前記容器用のケースであって、容器内の化学薬品のレベルを知らせる可聴および／または可視のインジケータを含むケースをさらに備える、請求項１に記載の装置。
【請求項２３】
前記容器用のケースであって、ゴミ入れを含むケースをさらに備える、請求項１に記載の装置。
【請求項２４】
前記容器用のケースであって、トイレ洗浄装置用のレセプタクルを含むケースをさらに備える、請求項１に記載の装置。
【請求項２５】
前記容器用のケースであって、前記ケースをトイレタンクから吊すためのハンガーを含むケースをさらに備える、請求項１に記載の装置。
【請求項２６】
前記容器用のケースであって、前記ケースを垂直表面から吊すための接着表面を含むケースをさらに備える、請求項１に記載の装置。
【請求項２７】
便器の内側表面に化学薬品をスプレーするための装置であって、
前記化学薬品用の容器と、
回転スプレーノズルであって、これを通って前記化学薬品を横方向に前記便器の周囲のまわりにスプレーすることができる回転スプレーノズルと、
前記容器および前記スプレーノズルに流体連通するコンジットと、
化学薬品を前記容器から前記コンジットを通って前記スプレーノズルへ送出するための流体送出手段と、
前記便器のへりの近くに前記スプレーノズルを取り付けるための手段と、
を備える装置。
【請求項２８】
前記スプレーノズルは、らせん状溝を有する流体スピナーと、前記らせん状溝を出る前記化学薬品によって接触されるときに回転するデフレクタプレートと、を含む、請求項２７に記載の装置。
【請求項２９】
前記デフレクタプレートは、前記らせん状溝を出る前記化学薬品によって接触されて前記デフレクタプレートを回転させる上向きに延出するリブを含む、請求項２８に記載の装置。
【請求項３０】
便器の内側表面に化学薬品をスプレーするための装置であって、
前記化学薬品用の容器と、
スプレーノズルであって、これを通って前記化学薬品を横方向に前記便器の周囲のまわりにスプレーすることができるスプレーノズルと、
前記容器および前記スプレーノズルに流体連通するコンジットと、
化学薬品を前記容器から前記コンジットを通って前記スプレーノズルへ送出するための流体送出手段と、
使用の際に前記スプレーノズルが前記便器のへりの近くにあるように前記スプレーノズルを位置決めするための手段と、
を備える、装置。
【請求項３１】
前記スプレーノズルは、前記化学薬品を横方向に前記ノズルの周囲全体のまわりにスプレーすることができるように構成される、請求項３０に記載の装置。
【請求項３２】
前記スプレーノズルは回転ノズルである、請求項３０に記載の装置。
【請求項３３】
前記スプレーノズルは、らせん状溝を有する流体スピナーと、前記らせん状溝を出る前記化学薬品によって接触されるときに回転するデフレクタプレートとを含む、請求項３２に記載の装置。
【請求項３４】
便器の内側表面に容器から化学薬品をスプレーするための装置であって、
スプレーノズルであって、これを通って前記化学薬品を横方向に前記ノズルの周囲のまわりの少なくとも途中にスプレーすることができるスプレーノズルと、
前記スプレーノズルに流体連通するコンジットと、
前記便器のへりの近くに前記スプレーノズルを取り付けるための手段と、
を備える、装置。
【請求項３５】
前記スプレーノズルは、前記化学薬品を横方向に前記ノズルの周囲全体のまわりにスプレーすることができるように構成される、請求項３４に記載の装置。
【請求項３６】
前記スプレーノズルは回転ノズルである、請求項３４に記載の装置。
【請求項３７】
前記スプレーノズルは、らせん状溝を有する流体スピナーと、前記らせん状溝を出る前記化学薬品によって接触されるときに回転するデフレクタプレートとを含む、請求項３６記載の装置。
【請求項３８】
前記スプレーノズルを取り付けるための手段は、基部壁を有し、前記基部壁から離れて延出する対向して間隔をおいて離れた側部壁を有するクリップを備える、請求項３４に記載の装置。
【請求項３９】
前記クリップの前記対向して間隔をおいて離れた側部壁は、前記対向して間隔をおいて離れた側部壁の間の距離が調整可能であるように、互いに向けて且つ互いから離れて動くことができる、請求項３８に記載の装置。
【請求項４０】
前記スプレーノズルを取り付けるための手段は、ブラケットと、トイレに取り付けるための少なくとも１つの吸着カップを有する可撓性のある取付ストリップとを備える、請求項３４に記載の装置。
【請求項４１】
前記スプレーノズルを取り付けるための手段は吸着装置を備える、請求項３４に記載の装置。
【請求項４２】
前記スプレーノズルを取り付けるための手段は、接着材料を備える、請求項３４に記載の装置。
【請求項４３】
前記スプレーノズルを取り付けるための手段は、前記便器の近くの人の存在を検出するために近接センサをさらに備える、請求項３４に記載の装置。
【請求項４４】
流体送出装置をエンクロージャの壁に隣接して装着するためのクリップであって、
基部と、
前記基部を前記壁に隣接して支持するように構成された装着装置と、
流体送出装置を前記基部に取り付けるための手段と、
前記基部に装着されたセンサと、
を備えるクリップ。
【請求項４５】
前記センサは近接センサである、請求項４４に記載のクリップ。
【請求項４６】
前記基部に取り付けられた流体送出装置をさらに備える、請求項４４に記載のクリップ。
【請求項４７】
前記センサは、前記基部の前記装着装置の対向した表面に装着される、請求項４４記載のクリップ。
【請求項４８】
エンクロージャの内側表面に流体をスプレーするための装置であって、
前記流体用の容器と、
流体送出装置であって、これを通って前記流体を前記エンクロージャの前記内側表面に加えることができる流体送出装置と、
前記容器および前記流体送出装置に流体連通する流体コンジットと、
流体を前記容器から前記流体コンジットを通って前記流体送出装置へ送出するための手段と、
前記流体送出装置を前記エンクロージャの前記内側表面に隣接して装着するためのクリップであって、センサを含むクリップと、
を備える、装置。
【請求項４９】
前記センサは近接センサである、請求項４８に記載の装置。
【請求項５０】
前記近接センサは、物体が前記近接センサの近くにあるときにプロセッサへ信号を送り、前記プロセッサは、流体を送出するための手段に、前記容器から前記流体送出装置へ流体の解放を遅らせる信号を送る、請求項４９に記載の装置。
【請求項５１】
エンクロージャの壁の内側表面に流体をスプレーするための装置であって、
前記流体用の容器と、
流体噴出器であって、これを通って前記流体を横方向に前記流体噴出器の周囲のまわりの少なくとも途中にスプレーすることができる流体噴出器と、
前記エンクロージャの前記壁の前記内側表面の近くに前記流体噴出器を取り付けるための手段と、
前記容器および前記流体噴出器に流体連通する流体コンジットと、
流体を前記容器から前記流体コンジットを通って前記流体噴出器へ送出するための流体送出システムであって、手動作動手段を含む流体送出システムと、
を備える装置。
【請求項５２】
前記流体送出システムは、
前記容器に流体連通するポンプチャンバと、
前記ポンプチャンバに流体連通し前記流体コンジットに流体連通する排出コンジットと、
流体を前記容器から前記ポンプチャンバ内に引き且つ流体を前記ポンプチャンバから前記排出コンジットを通って前記流体コンジット内に移動させるために前記ポンプチャンバ内を往復するピストンと、
を備える、請求項５１に記載の装置。
【請求項５３】
前記手動作動手段は、前記ピストンを前記ポンプチャンバ内で往復させる、請求項５２に記載の装置。
【請求項５４】
前記手動作動手段は、旋回トリガを備える、請求項５３に記載の装置。
【請求項５５】
前記流体送出システムは、２〜１０ミリリットルの流体を前記流体噴出器へ送出する、請求項５１に記載の装置。
【請求項５６】
前記流体噴出器は、回転ノズルを備える、請求項５１に記載の装置。
【請求項５７】
前記エンクロージャは、浴槽である、請求項５１に記載の装置。
【請求項５８】
前記エンクロージャは、シャワーである、請求項５１に記載の装置。
【請求項５９】
前記エンクロージャは、トイレである、請求項５１に記載の装置。
【請求項６０】
前記流体噴出器は、
流体入口およびデフレクタプレートを含むノズルであって、前記流体入口は前記流体コンジットおよび前記デフレクタプレートに流体連通し、前記デフレクタプレートは前記流体入口からの化学薬品によって接触されるときに回転するノズルを備える、請求項５１に記載の装置。
【請求項６１】
前記流体送出システムは、ベインポンプ、ベローズポンプ、インペラ駆動ポンプ、ピストンポンプ、蠕動ポンプ、および、歯車駆動ポンプから選択されたポンプを含む、請求項５１に記載の装置。
【発明の詳細な説明】
【技術分野】
【０００１】
関連出願への相互参照
なし
【０００２】
連邦政府の支援による研究開発に関する陳述
なし
【０００３】
本発明は、自動または手動の便器洗浄装置に関し、便器の内側表面が、トイレの水位線より下の場所で、および／または、トイレの水位線の場所で、および／または、トイレの水位線より上の場所で、および／または、トイレへりの下の場所で、便器の円周全体のまわりを洗浄されることができる。
【背景技術】
【０００４】
便器は、見苦しい沈着物の蓄積を防止するために、臭気を減少するために、且つ、細菌の増殖を防止するために、手入れを必要とする。従来、便器は、液体または粉末の洗浄および消毒剤で手で磨くことによって、洗浄され、消臭され、殺菌されてきた。この作業は、便器を清潔に保つために、手作業を必要としてきた。
【０００５】
手で磨くことを排除するために、様々な便器クリーナーディスペンサーが提案されてきた。１つのタイプのディスペンサーは、洗浄および清潔（ｆｒｅｓｈ）化物質の固体ブロックまたは固体粒子を備え、フラッシュ水の経路に置かれる容器内で便器のへりから吊される。特許文献１（これは、本明細書に引用された他のすべての文書とともに、参照により本明細書に組み込まれる）には、このタイプの便器洗浄システムの例が示されている。典型的に、固体ブロックの一部は、フラッシュごとにフラッシュ水に溶解され、溶解した生成物を有するフラッシュ水は、便器を洗浄するために、便器内に排出される。
【０００６】
他の便器洗浄システムは、便器内に排出される液体洗浄剤を使用する。たとえば、特許文献２および特許文献３、および、特許文献４および特許文献５には、すべて、フラッシュごとにフラッシュ水内にボトルから液体活性物質を導入する目的で、便器のへりから吊すことができる洗浄および／または清潔化装置が開示されている。これらのトイレへり下装置で、液体活性物質は、トイレへりから吊される基部によって支持される排出プレートへ溜から下向きに送出される。装置は、トイレからのフラッシュ水の流れが、フラッシュ中に排出プレートに接触するように、トイレへりから吊される。フラッシュ水は、排出プレート上にある液体活性物質を便器内に運び、トイレを洗浄しきれいにする。
【０００７】
他の便器ディスペンサーは、便器のへりに取り付けられたコンジットを通って便器内に排出されるエアロゾル消臭および／または洗浄剤を使用する。たとえば、特許文献５には、トイレへりにブラケットによって装着され、へり上に延出するチューブを備えたエアロゾル容器が開示されている。特許文献６および特許文献７には、流体の加圧溜、流体の源に接続されたコンジット、および、トイレへりに設置されるスプレーノズルを含む便器用のディスペンサーが開示されている。
【０００８】
これらの公知のトイレへり排出装置の１つの不利点は、消臭および／または洗浄剤を、トイレの水の１つの場所にまたはトイレの水の限定された区域にまたは便器の内側表面に、加えるだけである点である。結果として、便器の内側表面の洗浄は、装置に近い便器の区域に限定されることもある。
【０００９】
【特許文献１】米国特許第４，７７７，６７０号明細書
【特許文献２】米国特許第６，１７８，５６４号明細書
【特許文献３】米国特許第６，２３０，３３４号明細書
【特許文献４】国際特許出願第ＷＯ９９／６６１３９号明細書
【特許文献４】国際特許出願第ＷＯ９９／６６１４０号明細書
【特許文献５】米国特許第３，１７８，０７０号明細書
【特許文献６】米国特許第６，０２９，２８６号明細書
【特許文献７】米国特許第５，８６２，５３２号明細書
【発明の開示】
【発明が解決しようとする課題】
【００１０】
したがって、便器の内側表面が便器の円周全体のまわりを洗浄される改良された自動または手動の便器洗浄装置の必要性がある。
【課題を解決するための手段】
【００１１】
前述の必要性は、自動的にまたは手動で化学薬品を便器内に送出する本発明にしたがった便器洗浄および／または消臭装置で満たすことができる。「化学薬品（ｃｈｅｍｉｃａｌ）」または「ケミストリー（ｃｈｅｍｉｓｔｒｙ）」という用語は、１つの化学薬品か、または、化学成分の混合物を意味する。様々な洗浄および／または消臭化学薬品が、本発明にしたがった便器洗浄装置で使用するのに適切である。便器洗浄および／または消臭装置は、適切なケミストリーおよび排出システムを含む。本明細書に使用されるように、「洗浄（ｃｌｅａｎｉｎｇ）」という用語はまた、衛生的にすることおよび／または殺菌することを含み、「消臭（ｄｅｏｄｏｒｉｚｉｎｇ）」という用語はまた、きれい（ｆｒｅｓｈ）にすることを含む。
【００１２】
ケミストリーに関して、化学薬品は、便器を続けて洗浄しきれいにするために、直接、便器の内側表面におよび／またはトイレの水に加えられる。便器の内側表面に加えられる場合には、化学薬品は、液体である（単一または複数のケミストリーシステムのいずれかであり、複数ケミストリーシステムは使用の点で結合し、その点で混合することによって、もっとも効果的である新しい製法を形成する）か、または、流動性を有する粉末である。トイレの水に加えられる場合には、ケミストリーは、液体（単一または複数のケミストリー）または流動性（粉末または結晶）を有する固体であってもよく、これは、水に加えられ、予防手段として作用するか、または、トイレを自動的に洗浄するように働く環境を形成する。これの例は、トイレの水を使用して二酸化塩素を形成するものであり、したがって、気体状態のケミストリーを形成する。気体は、便器の表面を塗布するように働き、様々な元凶に働く。
【００１３】
排出システムに関して、システムは、適切なケミストリーを便器の内側表面に加えて洗浄プロセスを行うための手段であるいくつかのサブシステムを含む。排出システムは、（ｉ）ケミストリー保管容器、（ｉｉ）化学薬品推進システム、（ｉｉｉ）化学薬品送出システム、（ｉｖ）トイレインタフェース、および、（ｖ）容器用のケースを含んでもよい（が、それらに限定されない）。
【００１４】
ケミストリー保管容器を使用して、便器を洗浄するのに使用されるケミストリーを保持し保管する。非限定的な例は、標準プラスチックボトル、たとえば、トリガ式噴霧器に見られるもの、または、エアロゾル缶を含む。
【００１５】
化学薬品推進システムは、適切なエネルギをケミストリーに提供して、これを送出システムを通って動かし、そのため、これが保管容器から便器内の適切な区域へ動くことができる方法を提供する。このサブシステムの例は、噴射剤たとえば液化石油ガスまたは類似の炭化水素系噴射剤、空気、窒素、または、二酸化炭素を使用するエアロゾル容器を含む。例の別のセットは、液体を動かすポンプまたはポンプ機構、たとえば、ベインポンプ（ｖｅｉｎ  ｐｕｍｐ）、インペラ駆動ポンプ、蠕動ポンプ、または、歯車駆動ポンプを使用する。第３の例の化学薬品推進システムでは、ピストンまたはねじ機構を使用して、化学薬品を送出システム内に押す。このシステムは、モータまたはウォームギヤを使用してプラットフォームを液体に対して駆動し、液体を一定の圧力でシステム内に動かし続ける。第４の例のシステムでは、粉末または液体をトイレ内に投入する機械的手段が用いられる。最後に、粉末をトイレ内に吹き込む機械的手段を用いることができる（気流とともに）。
【００１６】
化学薬品送出システムは、ケミストリーを保管容器から便器内の適切な区域内に動かす方法を提供する。この送出サブシステムは、スピゴット、アクチュエータ、ホースおよびノズルを含むことができる。
【００１７】
トイレインターフェースは、ホースを外し固定しないままにしてノズルがトイレへりまたはトイレの蓋の所定の位置にあるように、トイレに取り付ける手段および方法を提供する。
【００１８】
ケースは、化学薬品保管容器を安定させ保管するための場所を提供することができる。ケースは、基部およびハウジングユニットを含むことができる。
【００１９】
これらのサブシステムは、各日にわたって、適切なケミストリーを（所定の量を使用して）所定の回数送出するために一緒に働き、所望の消費者利益を伝える。
【００２０】
したがって、本発明は、便器の内側表面に化学薬品をスプレーするための装置を提供する。装置は、化学薬品用の容器と、スプレーノズルであって、これを通って化学薬品を横方向にノズルの周囲のまわりの少なくとも途中にスプレーすることができるスプレーノズルと、容器およびスプレーノズルに流体連通するコンジットと、化学薬品を容器からコンジットを通ってスプレーノズルへ送出するための流体送出手段と、便器のへりの近くにスプレーノズルを取り付けるための手段と、を含む。任意で、スプレーノズルは、横方向にノズルの周囲全体のまわりにスプレーすることができる。
【００２１】
１つの形状において、スプレーノズルは、化学薬品を横方向にノズルの周囲全体のまわりにスプレーすることができる回転スプレーノズルである。たとえば、スプレーノズルは、らせん状溝を有する流体スピナーと、らせん状溝を出る化学薬品によって接触されるときに回転するデフレクタプレート（ｄｅｆｒｅｃｔｉｏｎ  ｐｌａｔｅ）と、を含んでもよく、それによって、化学薬品が便器の内側表面の円周全体を覆うように、化学薬品を横方向にノズルの周囲全体のまわりにスプレーする。
【００２２】
本発明の１つのバージョンにおいて、容器は加圧され、流体送出手段は、容器に噴射剤と、コンジットに弁とを含む。弁は、化学薬品を容器からコンジットを通ってスプレーノズルへ送出するための開位置を有する。噴射剤は、炭化水素系噴射剤、空気、窒素、および、二酸化炭素からなる群から選択されてもよい。ケースが容器用に設けられてもよく、ケースは、弁を開位置内に動かすための作動手段（ａｃｔｉｖａｔｏｒ）を含んでもよく、それによって化学薬品を容器からコンジットを通ってスプレーノズルへ送出する。弁は、手動または自動のいずれかで開けられてもよく、１つの形状において弁は傾斜弁である。
【００２３】
流体送出手段は、（ｉ）弁を開位置内に動かし、スプレーサイクルの間中、弁を開位置に保つためのアクチュエータと、（ｉｉ）スプレーサイクルを自動的に開始し終了するためのタイミング回路と、をさらに含んでもよい。タイミング回路は、化学薬品を自動的にスプレーする方法を提供する。タイミング回路は、第１のカウントダウンを開始する。第１のカウントダウンの満了時に、アクチュエータ（たとえば、ソレノイド）が自動的に作動され、弁を開き、化学薬品を容器からコンジットを通ってスプレーノズルへ送出する。タイミング回路はまた、第２のカウントダウンを自動的に開始し、その最後に、スプレーサイクルは自動的に終了する。流体送出手段は、便器の近くに人または家庭のペットの存在を検出するために近接センサをさらに含んでもよい。近接センサは、人または家庭のペットが便器の近くにいるときにスプレーサイクルの自動開始を防止するために、タイミング回路に電気連通する。
【００２４】
あるいは、流体送出手段は、ポンプが手動かまたは自動かのいずれかで作動されるときに化学薬品を容器からコンジットを通ってスプレーノズルへ送出するためのポンプであってもよい。１つの実施形態において、流体送出手段がスプレーサイクルを自動的に開始し終了するためのタイミング回路を含むという点で、ポンプは、スプレーサイクル中に自動的に作動される。タイミング回路は、化学薬品を自動的にスプレーする方法を提供する。タイミング回路は、第１のカウントダウンを開始する。第１のカウントダウンの満了時に、ポンプが自動的に作動され、化学薬品を容器からコンジットを通ってスプレーノズルへ送出する。タイミング回路はまた、第２のカウントダウンを自動的に開始し、その最後に、ポンプを作動停止することによってスプレーサイクルは自動的に終了する。流体送出手段は、便器の近くに人または家庭のペットの存在を検出するために近接センサをさらに含んでもよい。近接センサは、人または家庭のペットが便器の近くにいるときに、スプレーサイクルの自動的な開始を防止するために、タイミング回路に電気連通する。ポンプは、ベインポンプ、インペラ駆動ポンプ、蠕動ポンプ、歯車駆動ポンプ、ベローズポンプ、および、ピストンポンプからなる群から選択されてもよい。ケースが容器用に設けられてもよく、ケースは、ポンプを作動するための作動手段を含んでもよい。
【００２５】
便器のへりの近くにスプレーノズルを取り付けるための手段は、基部壁を有するクリップであって、略Ｕ字形クリップを形成する基部壁から離れて延出する対向して間隔をおいて離れた側部壁を有するクリップであってもよい。任意で、クリップの対向して間隔をおいて離れた側部壁は、対向して間隔をおいて離れた側部壁の間の距離が調整可能であるように、互いに向けて且つ互いから離れて動くことができる。これは、様々な寸法を有する便器のへりにクリップを装着するのを可能にする。あるいは、便器のへりの近くにスプレーノズルを取り付けるための手段は、ノズルが表面に装着されるのを可能にする吸着装置（たとえば吸着カップ）または接着材料であってもよい。
【００２６】
容器は、半透明の壁を有してもよく、そのため、ユーザは、容器内の化学薬品の量を見ることができ、空の容器を満杯の容器と取り替える時を知ることができる。ケースが容器用に設けられるときには、ケースは、容器を挿入し容器を取り外すためのアクセスドアを含んでもよい。ケースはまた、容器内の化学薬品のレベルを知らせる可聴または可視のインジケータ（たとえば発光ダイオード）を含んでもよい。たとえば、インジケータは、ユーザが容器を満杯の容器と取り替えるように、容器に化学薬品が残っていないことを示してもよい。
【００２７】
ケースはまた、ゴミ入れ、または、トイレ洗浄装置用のレセプタクル、たとえば、米国特許出願公開第２００５／０００５３７８号に記載されたトイレブラシを含んでもよい。ケースは、トイレの隣の床にあってもよく、または、ケースは、ケースをトイレタンクから吊すためのハンガーを有してもよい。あるいは、ケースは、ケースを壁等の垂直表面から吊すための手段を含んでもよい。接着材料が、ケースを垂直表面から吊すためのそのような手段の例である。
【００２８】
別の態様において、本発明は、便器の内側表面に化学薬品をスプレーするための装置を提供する。装置は、化学薬品用の容器と、回転スプレーノズルであって、これを通って化学薬品を横方向に便器の周囲のまわりにスプレーすることができるスプレーノズルと、容器およびスプレーノズルに流体連通するコンジットと、化学薬品を容器からコンジットを通ってスプレーノズルへ送出するための流体送出手段と、便器のへりの近くにスプレーノズルを取り付けるための手段とを含む。スプレーノズルは、らせん状溝を有する流体スピナーと、らせん状溝を出る化学薬品によって接触されるときに回転するデフレクタプレートと、を含んでもよい。デフレクタプレートは、らせん状溝を出る化学薬品によって接触されてデフレクタプレートを回転する上向きに延出するリブを含んでもよい。
【００２９】
さらに別の態様において、本発明は、便器の内側表面に化学薬品をスプレーするための装置を提供する。装置は、化学薬品用の容器と、スプレーノズルであって、これを通って化学薬品を横方向に便器の周囲のまわりにスプレーすることができるスプレーノズルと、容器およびスプレーノズルに流体連通するコンジットと、化学薬品を容器からコンジットを通ってスプレーノズルへ送出するための流体送出手段と、使用の際にスプレーノズルが便器のへりの近くにあるようにスプレーノズルを位置決めするための手段とを含む。好ましくは、スプレーノズルは、化学薬品を横方向にノズルの周囲全体のまわりにスプレーすることができるように構成される。スプレーノズルは、回転ノズルであってもよい。１つの形態において、スプレーノズルは、らせん状溝を有する流体スピナーと、らせん状溝を出る化学薬品によって接触されるときに回転するデフレクタプレートとを含む。
【００３０】
さらに別の態様において、本発明は、便器の内側表面に容器から化学薬品をスプレーするための装置を提供する。装置は、スプレーノズルであって、これを通って化学薬品を横方向にノズルの周囲のまわりの少なくとも途中にスプレーすることができるスプレーノズルと、スプレーノズルに流体連通するコンジットと、便器のへりの近くにスプレーノズルを取り付けるための手段とを含む。好ましくは、スプレーノズルは、化学薬品を横方向にノズルの周囲全体のまわりにスプレーすることができるように構成される。１つの形状において、スプレーノズルは、回転ノズルである。別の形状において、スプレーノズルは、らせん状溝を有する流体スピナーとらせん状溝を出る化学薬品によって接触されるときに回転するデフレクタプレートとを含む。
【００３１】
スプレーノズルを取り付けるための手段は、基部壁を有し、基部壁から離れて延出する対向して間隔をおいて離れた側部壁を有するクリップであってもよい。クリップの対向して間隔をおいて離れた側部壁は、好ましくは、対向して間隔をおいて離れた側部壁の間の距離が調整可能であるように、互いに向けて且つ互いから離れて動くことができる。別の形状において、スプレーノズルを取り付けるための手段は、ブラケットと、トイレに取り付けるための少なくとも１つの吸着カップを有する可撓性のある取付ストリップとを備える。さらに別の形状において、スプレーノズルを取り付けるための手段は、吸着装置または接着材料を含む。１つの実施形態において、スプレーノズルを取り付けるための手段は、便器近くの人の存在を検出するための近接センサをさらに備える。
【発明の効果】
【００３２】
したがって、本発明の利点は、便器の内側表面が便器の円周全体のまわりを洗浄される便器洗浄装置を提供することである。装置は、輝きを高め、生物膜、糸状菌および／またはカビの増殖を遅延することによって、全体的な便器の清浄さを提供する。装置は、しみ（硬水、金属、有機）、糸状菌、カビ、微生物、臭気および細菌を除去または排除することができる。
【００３３】
本発明のこれらおよび他の特徴、態様および利点は、下記の詳細な説明、図面および添付の特許請求の範囲を考慮すれば、より良好に理解される。
【発明を実施するための最良の形態】
【００３４】
図面の下記の説明において、類似の参照符号は、図面から図面へ類似部品を参照するために使用される。
【００３５】
本発明は、便器の内側表面に化学薬品をスプレーするための装置を提供する。本発明の様々な実施形態が次に、図面を参照して説明される。実施形態は、例示目的のために示され説明され、いずれのようにも本発明を限定する意図はない。
【００３６】
図１Ａ〜図１Ｃに移ると、本発明の実施形態が示される。便器洗浄および／または消臭装置は、化学薬品用の容器５０と、スプレーノズル８０であって、これを通って化学薬品を横方向にノズル８０の周囲のまわりにスプレーすることができるスプレーノズル８０と、容器５０およびスプレーノズル８０に流体連通する流体供給コンジット４９と、トイレ１０の便器１２のへり１４の近くにスプレーノズル８０を取り付けるための装着クリップ６０とを含む。化学薬品は、後述されるように、便器１２を連続して洗浄し消臭するように、直接便器１２の内側表面１６におよび／またはトイレの水内に、スプレーノズル８０によってスプレーすることができる。
【００３７】
容器５０は、ケース３０に逆さまに収容される。容器５０の出口に係合するために、取付物（ｆｉｔｍｅｎｔ）がケース３０に設けられる。ケース３０の取付物はまた、流体供給コンジット４９に接続される。容器５０の壁５１は、半透明であってもよく、そのため、ユーザは、容器が空になったときを見ることができる。ケース３０は、容器５０をケース３０に固定して装着し続ける容器ホルダ３６を含む。１つの形状において、容器ホルダ３６は、下向きに偏倚されたプレートであり、これは、ユーザによって矢印Ａの方向に上げられてもよく、空の容器５０を解放して取り外し、その後、新しい容器５０を装填する。
【００３８】
ユーズアップキュー（ｕｓｅ−ｕｐ  ｃｕｅ）発光ダイオード（ＬＥＤ）３４が、ケース３０に設けられる。圧力センサが、容器５０が空のときに容器５０の圧力低下を検知し、圧力センサは、ＬＥＤをトリガして光を発せさせ、空の容器５０が存在することを知らせる。任意で、圧力センサは、警報器をトリガし、空の容器５０が存在することを知らせる。あるいは、ＬＥＤは、カウンタを含む制御回路の一部である。カウンタは、作動ボタン（後述の手動作動ボタン３２等）の各押し下げ後に、増加される。作動ボタンの一定数の押し下げ後に、カウンタは、ＬＥＤをトリガして光を発せさせ、空の容器５０が存在することを知らせる。
【００３９】
ケース３０はまた、手動作動ボタン３２を含む。本発明の１つのバージョンにおいて、容器５０は加圧され、容器５０に噴射剤と、出口弁とを含む。手動作動ボタン３２は、化学薬品を容器５０からコンジット４９を通ってスプレーノズル８０へ送出するために、弁を開位置内に動かす。たとえば、作動ボタン３２は、容器５０の底部の弁が開くように、容器５０を下向きに押す。
【００４０】
図１Ｂは、トイレ１０の便器１２のへり１４の近くにスプレーノズル８０を取り付けるための装着クリップ６０を示す。装着クリップ６０は、基部壁６２と、第１の側部壁６４と、第１の側部壁６４から間隔をおいた第２の側部壁６７とを有し、逆略Ｕ字形クリップ６０を形成する。クリップ６０は、可撓性のあるプラスチックから形成され、膨張および収縮を可能にし、様々な便器のへりサイズに対応する。コンジット４９は、基部壁６２上で第１の側部壁６４の穴６５を通って且つ第２の側部壁６７の穴６８を通って、ねじ込まれる。これは、装着クリップ６０の隣にコンジット４９の場所を制御し、コンジット４９の部分を隠すように作用する。スプレーノズル８０は、図１Ｂに示されるように、コンジット４９の端に係合し、コンジット４９から化学薬品を受け取る。
【００４１】
次に、図２Ａ〜図２Ｅを参照すると、本発明の別の実施形態が示される。便器洗浄および／または消臭装置は、化学薬品用の容器１５０と、スプレーノズル８０であって、これを通って化学薬品を横方向にノズル８０の周囲のまわりにスプレーすることができるスプレーノズル８０と、容器１５０およびスプレーノズル８０に流体連通する流体供給コンジット４９と、トイレ１０の便器１２のへり１４の近くにスプレーノズル８０を取り付けるための装着クリップ１６０とを含む。化学薬品は、後述されるように、直接便器１２の内側表面１６におよび／またはトイレの水内に、スプレーノズル８０によってスプレーすることができる。
【００４２】
容器１５０は、ケース１３０に収容される。容器１５０の出口に係合するために、取付物がケース１３０に設けられる。ケース１３０の取付物は、コンジット４９が方向Ｃに回転するのを可能にする回転ホースコネクタ１４２によって、流体供給コンジット４９に接続される。ケース１３０は、図２Ｃに示されるようにユーザによって開けられてもよいアクセスドア１３８を含み、空の容器１５０を取り外し、その後、新しい容器１５０を装填する。ドア１３８の揺動運動のために、ヒンジ１４０がドア１３８の底部に設けられる。ラッチ１３９が、ユーザがドア１３８のラッチを外すまで、ドア１３８を閉じたままにする。ユーズアップキュー発光ダイオード（ＬＥＤ）１３４が、ケース１３０に設けられる。圧力センサが、容器１５０が空のときに容器１５０の圧力低下を検知し、圧力センサは、ＬＥＤをトリガして光を発せさせ、空の容器１５０が存在することを知らせる。あるいは、ＬＥＤ１３４は、カウンタを含む制御回路の一部である。カウンタは、作動ボタンまたはフットペダル（後述の手動作動フットペダル１４１等）の各押し下げ後に、増加される。作動ボタンまたはフットペダルの一定数の押し下げ後に、カウンタは、ＬＥＤ１３４をトリガして光を発せさせ、空の容器が存在することを知らせる。
【００４３】
ケース１３０はまた、手動作動フットペダル１４１を含む。本発明の１つのバージョンにおいて、容器１５０は加圧され、容器１５０に噴射剤と、出口弁とを含む。手動作動フットペダル１４１は、容器１５０の頂部の弁が開き化学薬品をコンジット４９へ送出するように、容器１５０を上向きに動かす。弁は、この実施形態では、標準垂直エアロゾル弁であってもよい。
【００４４】
図２Ｂは、トイレ１０の便器１２のへり１４の近くにスプレーノズル８０を取り付けるための装着クリップ１６０を示す。装着クリップ１６０は、基部壁１６２と、第１の側部壁１６４と、第１の側部壁１６４から間隔をおいた第２の側部壁１６７とを有し、逆略Ｕ字形クリップ１６０を形成する。第２の側部壁１６７は基部壁１６２を摺動し、第１の側部壁１６４および第２の側部壁が、互いに向けて且つ互いから離れて動くことができるようにする。クリップ１６０のこの膨張および収縮は、様々な便器のへりサイズに対応する。コンジット４９は、基部壁１６２の通路１６３に接続される。スプレーノズル８０は、図２Ｂに示されるように、通路１６３の端に係合し、通路１６３から化学薬品を受け取る。
【００４５】
図２Ｅは、容器１５０用の別のケース２３０を示す。容器１５０の出口に係合するために、取付物がケース２３０に設けられる。ケース２３０は、ユーザによって開けられてもよいアクセスドア２３８を含み、空の容器１５０を取り外し、その後、新しい容器１５０を装填する。ドア２３８の揺動運動のために、ヒンジがドア２３８の底部に設けられる。ラッチボタン２３９が、ユーザがドア２３８のラッチを外すまで、ドア２３８を閉じたままにする。ユーズアップキュー発光ダイオード（ＬＥＤ）２３４が、ケース２３０に設けられ、上述のＬＥＤ１３４のように、作動する。ケース２３０はまた、上述の手動作動フットペダル１４１のように作用する手動作動フットペダル２４１を含む。
【００４６】
図３Ａ〜図３Ｃに移ると、本発明の別の実施形態が示される。便器洗浄および／または消臭装置は、化学薬品用の容器と、スプレーノズル８０であって、これを通って化学薬品を横方向にノズル８０の周囲のまわりにスプレーすることができるスプレーノズル８０と、容器およびスプレーノズル８０に流体連通する流体供給コンジット４９と、トイレ１０の便器１２のへり１４の近くにスプレーノズル８０を取り付けるための装着クリップ３６０と、を含む。化学薬品は、後述されるように、直接便器１２の内側表面１６におよび／またはトイレの水内に、スプレーノズル８０によってスプレーすることができる。
【００４７】
容器は、ケース３３０に収容される。容器は、ケース３３０の後部で露出されてもよい。容器の出口に係合するために、取付物がケース３３０に設けられる。ケース３３０の取付物は、流体供給コンジット４９に接続される。ケース３３０は、Ｔ字形作動ハンドル３３３を含む。容器は加圧されてもよく、容器１５０に噴射剤と、出口弁とを含んでもよい。作動ハンドル３３３は、化学薬品を容器からコンジット４９を通ってスプレーノズル８０へ送出するために容器５０の底部の弁が開くように、容器５０を下向きに押す。ハンドル３３３はまた、ケース３００をユーザが持ち歩くのを可能にする。円形ユーズアップキュー発光ダイオード（ＬＥＤ）３３４が、ケース３３０のハンドル３３３の基部のまわりに設けられる。ＬＥＤ３３４は、上述のＬＥＤ１３４のように作動する。
【００４８】
図３Ｂは、トイレ１０の便器１２のへり１４の近くにスプレーノズル８０を取り付けるための装着クリップ３６０を示す。装着クリップ３６０は、基部壁３６２と、側部壁１６４とを有し、逆略Ｌ字形クリップ１６０を形成し、これは、接着剤または吸着カップによってトイレへり１４に接着されてもよい。コンジット４９は、基部壁３６２の通路に接続される。スプレーノズル８０は、図３Ｂに示されるように、通路３６３の端に係合し、通路から化学薬品を受け取る。
【００４９】
次に、図４Ａ〜図４Ｄを参照すると、本発明の別の実施形態が示される。便器洗浄および／または消臭装置は、化学薬品用の容器５５０と、スプレーノズル８０であって、これを通って化学薬品を横方向にノズル８０の周囲のまわりにスプレーすることができるスプレーノズル８０と、容器５５０およびスプレーノズル８０に流体連通する流体供給コンジット４９と、トイレ１０の便器１２のへり１４の近くにスプレーノズル８０を取り付けるための装着アセンブリ５６０と、を含む。化学薬品は、後述されるように、直接便器１２の内側表面１６におよび／またはトイレの水内に、スプレーノズル８０によってスプレーすることができる。
【００５０】
容器５５０は、ケース５３０に収容される。容器５５０の出口に係合するために、取付物がケース５３０に設けられる。ケース５３０の取付物は、ケース５３０の背部で出る流体供給コンジット４９に接続される。ケース５３０は、図４Ｄに示されるようにユーザによって開けられてもよい頂部アクセスドア５３８を含み、空の容器５５０を取り外し、その後、新しい容器５５０を装填する。ドア５３８の揺動運動のために、ヒンジ５４０がドア５３８の底後部に設けられる。ラッチ５３９が、ユーザがドア５３８のラッチを外すまで、ドア５３８を閉じたままにする。ユーズアップキュー発光ダイオード（ＬＥＤ）５３４が、ケース５３０に設けられる。圧力センサが、容器５５０が空のときに容器５５０の圧力低下を検知し、圧力センサは、ＬＥＤをトリガして光を発せさせ、空の容器５５０が存在することを知らせる。
【００５１】
ケース５３０はまた、手動作動フットペダル５４１を含む。本発明の１つのバージョンにおいて、容器５５０は加圧され、容器５５０に噴射剤と、出口弁とを含む。手動作動フットペダル５４１は、容器５５０の弁が開き化学薬品をコンジット４９へ送出するように、容器５５０を動かす。
【００５２】
図４Ｂは、トイレ１０のトイレシート１８の下にスプレーノズル８０を取り付けるための装着アセンブリ５６０を示す。装着アセンブリ５６０は、Ｔ字形ブラケット５７０と吸着カップ５７１とを有し、これらはトイレシート１８に接着されてもよい。コンジット４９は、Ｔ字形ブラケット５７０の通路に接続される。スプレーノズル８０は、図４Ｂに示されるように、通路の端に係合し、通路から化学薬品を受け取る。
【００５３】
図５Ａ〜図５Ｄに移ると、本発明の別の実施形態が示される。便器洗浄および／または消臭装置は、化学薬品用の容器６５０と、スプレーノズル８０であって、これを通って化学薬品を横方向にノズル８０の周囲のまわりにスプレーすることができるスプレーノズル８０と、容器６５０およびスプレーノズル８０に流体連通する流体供給コンジット４９と、トイレ１０の便器１２のへり１４の近くにスプレーノズル８０を取り付けるための装着ブラケット６６０と、を含む。化学薬品は、後述されるように、直接便器１２の内側表面１６におよび／またはトイレの水内に、スプレーノズル８０によってスプレーすることができる。
【００５４】
容器６５０は、ケース６３０に収容される。保持リング６３７が、容器６５０をケース６３０に固定し続ける。容器６５０の出口に係合するために、取付物がケース６３０に設けられる。ケース６３０の取付物は、流体供給コンジット４９に接続される。ケース６３０は、図５Ｄに示されるようにユーザによって前方に開けられてもよいアクセスドア６３８を含み、空の容器６５０を取り外し、その後、図５Ｄに示された方向Ｂに、新しい容器６５０を装填する。ドア６３８の揺動運動のために、ヒンジがドア６３８の底部に設けられる。ラッチが、ユーザがドア６３８のラッチを外すまで、ドア６３８を閉じたままにする。ユーズアップキュー発光ダイオード（ＬＥＤ）６３４が、ケース６３０に設けられる。ＬＥＤ６３４は、上述のＬＥＤ１３４のように作動する。ケース６３０はまた、手動作動フットペダル６４１も含む。本発明の１つのバージョンにおいて、容器６５０は加圧され、容器６５０に噴射剤と、出口弁と、を含む。手動作動フットペダル６４１は、容器６５０の弁が開き化学薬品をコンジット４９へ送出するように、容器６５０を動かす。
【００５５】
図５Ｂは、トイレ１０の便器１２のへり１４の近くにスプレーノズル８０を取り付けるための装着クリップ６６０を示す。装着クリップ６６０は、基部壁６６２と、側部壁６６４とを有し、逆略Ｌ字形ブラケット６７３を形成し、これは、両面接着剤ストリップ６７４によってトイレへり１４に接着されてもよい。接着剤ストリップ６７４は、タブを引くことによって取り外すことができる。コンジット４９は、コンジット４９を矢印Ａの方向に動かすことによって、Ｌ字形ブラケット６７３の通路に接続される。スプレーノズル８０は、図５Ｂに示されるように、通路の端に係合し、通路から化学薬品を受け取る。
【００５６】
次に、図６Ａ〜図６Ｄを参照すると、本発明の別の実施形態が示される。便器洗浄および／または消臭装置は、化学薬品用の容器７５０と、スプレーノズル７７８であって、これを通って化学薬品を横方向にノズル７７８の周囲のまわりにスプレーすることができるスプレーノズル７７８と、容器７５０およびスプレーノズル７７８に流体連通する流体供給コンジット４９と、トイレ１０の便器１２のへり１４の近くに位置決めされるスプレーノズル７７８を有する装着アセンブリ７６０とを含む。化学薬品は、後述されるように、直接便器１２の内側表面１６におよび／またはトイレの水内に、スプレーノズル７７８によってスプレーすることができる。
【００５７】
容器７５０は、ケース７３０に収容され、垂直から傾斜してディスプレイされる。容器７５０は、半透明であってもよく、そのため、ユーザは、容器が空になったときを見ることができる。ケース７３０は、容器７５０をケース７３０に固定して装着し続ける容器ホルダ７３６を含む。１つの形状において、容器ホルダ７３６は、下向きに偏倚されたプレートであり、これは、ユーザによって上向きに上げられてもよく、空の容器７５０を解放して取り外し、その後、新しい容器７５０を装填する。容器７５０の出口に係合するために、取付物がケース７３０に設けられる。ケース７３０の取付物は、流体供給コンジット４９に接続される。ケース７３０はまた、手動作動ボタン７３２を含む。本発明の１つのバージョンにおいて、容器７５０は加圧され、容器７５０に噴射剤と、出口弁とを含む。手動作動ボタン７３２は、化学薬品を容器７５０からコンジット４９を通ってスプレーノズル８０へ送出するために、弁を開位置内に動かす。たとえば、作動ボタン７３２は、容器７５０の底部の弁が開くように、容器７５０を下向きに押す。ユーズアップキュー発光ダイオード（ＬＥＤ）７３４がまた、ケース７３０に設けられる。ＬＥＤ７３４は、上述のＬＥＤ１３４のように、作動する。
【００５８】
図６Ｂは、トイレ１０の便器１２のへり１４の近くにスプレーノズル７７８を位置決めする装着アセンブリ７６０を示す。装着アセンブリ７６０は、ハウジング壁７７６を有し、これは吸着カップ７７７によってトイレへり１４に接着されてもよい。コンジット４９は、装着アセンブリ７６０の通路を経由してスプレーノズル７７８に接続される。
【００５９】
図７Ａ〜図７Ｃに移ると、本発明の別の実施形態が示される。便器洗浄および／または消臭装置は、化学薬品用の容器と、スプレーノズル８７８であって、これを通って化学薬品を横方向にノズル８７８の周囲のまわりにスプレーすることができるスプレーノズル８７８と、容器７５０およびスプレーノズル８７８に流体連通する流体供給コンジット４９と、トイレ１０の便器１２のへり１４の近くに位置決めされるスプレーノズル８７８を有する装着アセンブリ８６０とを含む。化学薬品は、後述されるように、直接便器１２の内側表面１６におよび／またはトイレの水内に、スプレーノズル８７８によってスプレーすることができる。
【００６０】
容器は、ケース８３０に収容される。ケース８３０は、半透明ハウジング８３１であってもよく、そのため、ユーザは、容器が空になったときを見ることができる。ケース８３０は、容器をケース８３０に固定して装着し続ける容器ホルダを含む。容器の出口に係合するために、取付物がケース８３０に設けられる。ケース８３０の取付物は、流体供給コンジット４９に接続される。ケース８３０は、手動作動ボタンとして作用する。本発明の１つのバージョンにおいて、容器は加圧され、容器に噴射剤と出口弁とを含む。ケース８３０は、化学薬品を容器からコンジット４９を通ってスプレーノズル８７８へ送出するために弁を開位置内に動かすことによって、手動作動ボタンとして作用する。たとえば、ケース８３０は、容器の底部の弁が開くように、容器を下向きに押す。半透明ハウジング８３１はまた、ユーズアップキューを提供してもよい。圧力センサが、容器が空のときに容器の圧力低下を検知し、圧力センサは、半透明ハウジング８３１内の光をトリガする。次いで、ハウジング８３１が輝き、空の容器が存在することを知らせる。
【００６１】
図７Ｂは、トイレ１０の便器１２のへり１４の近くにスプレーノズル８７８を位置決めする装着ブラケット８６０を示す。装着ブラケット８６０は、Ｔ字形ブラケット８７０を有し、これは吸着カップ８７１によってトイレへり１４に接着されてもよい。コンジット４９は、Ｔ字形ブラケット８７０の通路を経由してスプレーノズル８７８に接続される。プラスチックタブ８７９が、トイレ１０との好ましくない相互作用なしでユーザがＴ字形ブラケット８７０を掴むのを可能にする。
【００６２】
次に、図８Ａ〜図８Ｅを参照すると、本発明の別の実施形態が示される。便器洗浄および／または消臭装置は、化学薬品用の容器９５０と、スプレーノズル８０であって、これを通って化学薬品を横方向にノズル８０の周囲のまわりにスプレーすることができるスプレーノズル８０と、容器９５０およびスプレーノズル８０に流体連通する流体供給コンジット４９と、トイレ１０の便器１２のへり１４の近くにスプレーノズル８０を取り付けるための装着クリップ９６０とを含む。化学薬品は、後述されるように、直接便器１２の内側表面１６におよび／またはトイレの水内に、スプレーノズル８０によってスプレーすることができる。
【００６３】
容器９５０は、ケース９３０に収容される。容器９５０の壁９５１は半透明であってもよく、そのため、ユーザは、容器９５０が空になったときを見ることができる。容器９５０の出口に係合するために、取付物がケース９３０に設けられる。ケース９３０の取付物は、回転するホースコネクタ９４２によって、流体供給コンジット４９に接続される。ケース９３０は、図８Ｅに示されるようにユーザによって開けられてもよいアクセスドア９３８を含み、空の容器９５０を取り外し、その後、図８Ｅに示された方向Ｂに、新しい容器９５０を装填する。ドア９３８の揺動運動のために、ヒンジがドア９３８の側部に設けられる。ラッチが、ユーザがドア９３８のラッチを外すまで、ドア９３８を閉じたままにする。ユーズアップキュー発光ダイオード（ＬＥＤ）９３４が、ケース９３０に設けられる。ＬＥＤ９３４は、上述のＬＥＤ１３４のように、作動する。ケース９３０はまた、手動作動ボタン９３２を含む。本発明の１つのバージョンにおいて、容器９５０は加圧され、容器９５０に噴射剤と、出口弁とを含む。手動作動ボタン９３２は、容器９５０の弁が開き化学薬品をコンジット４９へ送出するように、容器９５０を動かす。ケース９３０は、ケース９３０から上向きに延出する逆Ｊ字形ハンガー９４４を有する。ケース９３０のハンガー９４４は、図８Ｃに示されるように、ユーザがトイレタンク２２の側部壁２４からケース９３０を吊すのを可能にする。
【００６４】
図８Ｂは、トイレ１０の便器１２のへり１４の近くにスプレーノズル８０を取り付けるための装着クリップ９６０を示す。装着クリップ９６０は、基部壁９６２と第１の側部壁９６４と、第１の側部壁９６４から間隔をおいた第２の側部壁９６７とを有し、逆略Ｕ字形クリップ９６０を形成する。装着クリップ９６０は、第１の側部壁１６４および第２の側部壁が互いに向けて且つ互いから離れて動くことができるように、可撓性がある。クリップ９６０のこの膨張および収縮は、様々な便器のへりサイズに対応する。コンジット４９は、装着クリップ９６０の通路９６３に接続される。スプレーノズル８０は、図８Ｂに示されるように、通路９６３の端に係合し、通路９６３から化学薬品を受け取る。低プロファイルの広い便器クリップ９６０は、コンジット４９の外観を隠す。
【００６５】
図９Ａ〜図９Ｃに移ると、本発明の別の実施形態が示される。便器洗浄および／または消臭装置は、化学薬品用の容器５０ａと、スプレーノズル８０であって、これを通って化学薬品を横方向にノズル８０の周囲のまわりにスプレーすることができるスプレーノズル８０と、容器５０ａおよびスプレーノズル８０に流体連通する流体供給コンジット４９と、トイレ１０の便器１２のへり１４の近くにスプレーノズル８０を取り付けるための装着クリップ６０ａとを含む。化学薬品は、後述されるように、直接便器１２の内側表面１６におよび／またはトイレの水内に、スプレーノズル８０によってスプレーすることができる。
【００６６】
容器５０ａは、ケース３０ａに収容される。容器５０ａの出口に係合するために、取付物がケース３０ａに設けられる。ケース３０ａの取付物は、流体供給コンジット４９に接続される。ケース３０ａは、図９Ｃに示されるようにユーザによって開けられてもよいアクセスドア３８ａを含み、空の容器５０ａを取り外し、その後、図９Ｃに示された方向Ｂに、新しい容器５０ａを装填する。図９Ｂの方向Ａにドア３８ａが揺動運動するために、ヒンジがドア３８ａの底部に設けられる。ラッチ３９ａが、ユーザがドア３８ａのラッチを外すまで、ドア３８ａを閉じたままにする。ユーズアップキュー発光ダイオード（ＬＥＤ）３４ａが、ケース３０ａに設けられる。ＬＥＤ３４ａは、上述のＬＥＤ１３４のように作動する。ケース３０ａはまた、手動作動ボタン３２ａを含む。本発明の１つのバージョンにおいて、容器５０ａは加圧され、容器５０ａに噴射剤と、出口弁とを含む。手動作動ボタン３２ａは、容器５０ａの弁が開き化学薬品をコンジット４９へ送出するように、容器５０ａを動かす。ケース３０ａは、ケース３０ａから上向きに延出する逆Ｊ字形ハンガー４４ａを有する。ケース３０ａのハンガー４４ａは、図９Ａに示されるように、ユーザがトイレタンク２２の側部壁２４からケース３０ａを吊すのを可能にする。
【００６７】
次に、図１０Ａ〜図１０Ｅを参照すると、本発明の別の実施形態が示される。便器洗浄および／または消臭装置は、化学薬品用の容器と、スプレーノズル８０であって、これを通って化学薬品を横方向にノズル８０の周囲のまわりにスプレーすることができるスプレーノズル８０と、容器およびスプレーノズル８０に流体連通する流体供給コンジット４９と、トイレ１０の便器１２のへり１４の近くにスプレーノズル８０を取り付けるための装着クリップ６０ｂと、を含む。化学薬品は、後述されるように、直接便器１２の内側表面１６におよび／またはトイレの水内に、スプレーノズル８０によってスプレーすることができる。
【００６８】
容器は、ケース３０ｂに収容される。容器の出口に係合するために、取付物がケース３０ｂに設けられる。ケース３０ｂの取付物は、流体供給コンジット４９に接続される。ケース３０ｂは、ユーザによって開けられてもよい頂部アクセスドア３８ｂを含み、空の容器を取り外し、その後、新しい容器を装填する。ドア３８ｂの揺動運動のために、ヒンジがドア３８ｂに設けられる。ケース３０ｂはまた、ウェル（ｗｅｌｌ）４５ｂと、一対の対向して間隔をおいて離れた突起物４６ｂとを含む。トイレブラシ５８ｂのヘッドがウェル４５ｂに置かれてもよく、トイレブラシ５８ｂのハンドル５９ｂが突起物４６ｂの間にあってもよい。ケース３０ｂは、トイレの隣の床にあってもよく、便利なことに、図示のようにトイレブラシ５８ｂを保持してもよい。
【００６９】
図１０Ｂは、トイレ１０の便器１２のへり１４の近くにスプレーノズル８０を取り付けるための装着クリップ６０ｂを示す。装着クリップ６０ｂは、基部壁と、側部壁とを有し、逆略Ｌ字形クリップ７３ｂを形成し、これは、吸着カップ７５ｂによってトイレへり１４に接着されてもよい。コンジット４９は、Ｌ字形クリップ７３ｂの通路に接続される。スプレーノズル８０は、図１０Ｂに示されるように、通路の端に係合し、通路から化学薬品を受け取る。
【００７０】
図１１Ａ〜図１１Ｄに移ると、本発明の別の実施形態が示される。便器洗浄および／または消臭装置は、化学薬品用の容器５０ｃと、スプレーノズル８０であって、これを通って化学薬品を横方向にノズル８０の周囲のまわりにスプレーすることができるスプレーノズル８０と、容器５０ｃおよびスプレーノズル８０に流体連通する流体供給コンジット４９と、トイレ１０の便器１２のへり１４の近くにスプレーノズル８０を取り付けるための装着クリップ６０ｃと、を含む。化学薬品は、後述されるように、直接便器１２の内側表面１６におよび／またはトイレの水内に、スプレーノズル８０によってスプレーすることができる。
【００７１】
容器５０ｃは、ケース３０ｃに収容される。容器５０ｃの出口に係合するために、取付物がケース３０ｃに設けられる。ケース３０ｃの取付物は、流体供給コンジット４９に接続される。ケース３０ｃは、ラッチ３９ｃによってユーザによって開けられてもよいアクセスドア３８ｃを含み、空の容器を取り外し、その後、新しい容器５０ｃを装填する。図１１Ｄの方向Ａにドア３８ｃが揺動運動するために、ヒンジがドア３８ｃに設けられる。ケース３０ｃはまた、後部ウェル４５ｃも含む。トイレブラシ５８ｃのヘッドがウェル４５ｃに置かれてもよく、トイレブラシ５８ｃのハンドルが、図１１Ｃに示されるように、ケース３０ｃに対接してあってもよい。ケース３０ｃは、トイレの隣の床にあってもよく、便利なことに、図示のようにトイレブラシ５８ｃをケース３０ｃの背部に保持してもよい。
【００７２】
ユーズアップキュー発光ダイオード（ＬＥＤ）３４ｃが、ケース３０ｃに設けられる。圧力センサが、容器５０ｃが空のときに容器５０ｃの圧力低下を検知し、圧力センサは、ＬＥＤをトリガして光を発せさせ、空の容器５０ｃが存在することを知らせる。ケース３０ｃはまた、手動作動フットペダル４１ｃを含む。本発明の１つのバージョンにおいて、容器５０ｃは加圧され、容器５０ｃに噴射剤と出口弁とを含む。手動作動フットペダル４１ｃは、容器５０ｃの弁が開き化学薬品をコンジット４９へ送出するように、容器５０ｃを動かす。
【００７３】
次に、図１２Ａ〜図１２Ｂを参照すると、本発明の別の実施形態が示される。便器洗浄および／または消臭装置は、化学薬品用の容器５０ｄと、スプレーノズル８０であって、これを通って化学薬品を横方向にノズル８０の周囲のまわりにスプレーすることができるスプレーノズル８０と、容器５０ｄおよびスプレーノズル８０に流体連通する流体供給コンジット４９と、トイレ１０の便器１２のへり１４の近くにスプレーノズル８０を取り付けるための装着クリップ６０ｄとを含む。化学薬品は、後述されるように、直接便器１２の内側表面１６におよび／またはトイレの水内に、スプレーノズル８０によってスプレーすることができる。
【００７４】
容器５０ｄは、ケース３０ｄに水平に収容される。容器５０ｄの出口に係合するために、取付物がケース３０ｄに設けられる。ケース３０ｄの取付物は、流体供給コンジット４９に接続される。容器５０ｄは、ケース３０ｄの底部または背部から再装填されてもよい。ケース３０ｄは、図１２Ａに示されるように、トイレの後ろの床にあってもよい。ケース３０ｄは、手動作動フットペダル４１ｄを含む。本発明の１つのバージョンにおいて、容器５０ｄは加圧され、容器５０ｄに噴射剤と出口弁とを含む。手動作動フットペダル４１ｄは、容器５０ｄの弁が開き化学薬品をコンジット４９へ送出するように、容器５０ｄを動かす。図１２Ｂは、容器５０ｄがケース３０ｄに水平に装着されてもよいことを示す。これは、図１Ｃの逆さま（弁が底部）配向、および、図２Ｄの右側部上（弁が頂部）配向に加えて、別の装着配向を例証する。このようにして、本発明は、容器の配向を限定しない。
【００７５】
図１２Ｂは、トイレ１０の便器１２のへり１４の近くにスプレーノズル８０を取り付けるための装着クリップ６０ｄを示す。装着クリップ６０ｄは、基部壁６２ｄと、第１の側部壁６４ｄと、第１の側部壁６４ｄから間隔をおいた第２の側部壁６７ｄとを有し、略Ｃ字形クリップ６０ｄを形成する。クリップ６０ｄは、可撓性のあるプラスチックから形成され、膨張および収縮を可能にし、様々な便器のへりサイズに対応する。第２の側部壁６７ｄは、設置されるときにトイレへり１４の頂部にある。コンジット４９は、第２の側部壁６７ｄの保持リング３７ｄを通って且つ基部壁６２ｄの保持リング３７ｄを通って、ねじ込まれる。スプレーノズル８０ｄは、図１２Ｂに示されるように、コンジット４９の端に係合し、コンジット４９から化学薬品を受け取る。
【００７６】
図１３Ａ〜図１３Ｄに移ると、本発明の別の実施形態が示される。便器洗浄および／または消臭装置は、化学薬品用の容器５０ｅと、スプレーノズル８０であって、これを通って化学薬品を横方向にノズル８０の周囲のまわりにスプレーすることができるスプレーノズル８０と、容器５０ｅおよびスプレーノズル８０に流体連通する流体供給コンジット４９と、トイレ１０の便器１２のへり１４の近くにスプレーノズル８０を取り付けるための装着クリップ６０ｅとを含む。化学薬品は、後述されるように、直接便器１２の内側表面１６におよび／またはトイレの水内に、スプレーノズル８０によってスプレーすることができる。
【００７７】
容器５０ｅは、ケース３０ｅに収容される。容器５０ｅの出口に係合するために、取付物がケース３０ｅに設けられる。ケース３０ｅの取付物は、流体供給コンジット４９に接続される。ケース３０ｅは、図１３Ｄに示されるようにユーザによって開けられてもよい頂部アクセスドア３８ｅを含み、空の容器５０ｅを取り外し、その後、図１３Ｄに示された方向Ｂに、頂部から新しい容器５０ｅを装填する。ドア３８ｅの揺動運動のために、ヒンジがドア３８ｅの側部に設けられる。ユーズアップキュー発光ダイオード（ＬＥＤ）３４ｅが、ケース３０ｅに設けられる。ＬＥＤ３４ｅは、上述のＬＥＤ１３４のように作動する。ケース３０ｅは、ケース３０ｅから延出する逆Ｊ字形ハンガー４４ｅを有する。ケース３０ｅのハンガー４４ｅは、図１３Ｄに示されるように、ユーザがトイレタンク２２の内部の側部壁２４からケース３０ｅを吊すのを可能にし、目に見える度合いを減らして水を保護する。ケース３０ｅはまた、ケース３０ｅのハンガー４４ｅの下部区域に手動作動手段４１ｅを含む。手動作動手段４１ｅは、容器５０ｅの弁を開き、化学薬品をコンジット４９へ送出する。
【００７８】
図１３Ｂは、トイレ１０の便器１２のへり１４の近くにスプレーノズル８０を取り付けるための装着クリップ６０ｅを示す。装着クリップ６０ｅは、頂部壁６２ｅと、側部壁６７ｅと、を有し、逆略Ｌ字形ブラケット７３ｅを形成し、これは、両面接着剤ストリップまたは吸着カップによってトイレへり１４に接着されてもよい。コンジット４９は、Ｌ字形ブラケット７３ｅの通路に接続される。スプレーノズル８０は、通路の端に係合し、通路から化学薬品を受け取る。図１３Ｅを見ると、本発明の代替バージョンが示され、コンジット４９は、下へ、トイレ１０のタンク２２内部のオーバーフローチューブ２６を移動し、化学薬品をフラッシュ水内に送出する。
【００７９】
次に、図１４Ａ〜図１４Ｄを参照すると、本発明の別の実施形態が示される。便器洗浄および／または消臭装置は、化学薬品用の容器５０ｆと、トイレの蓋２０に配置されたスプレーノズル９７ｆであって、これを通って化学薬品を横方向にノズル９７ｆの周囲のまわりにスプレーすることができるスプレーノズル９７ｆと、容器５０ｆおよびスプレーノズル９７ｆに流体連通する流体供給コンジット４９とを含む。化学薬品は、後述されるように、直接便器１２の内側表面１６におよび／またはトイレの水内に、スプレーノズル９７ｆによってスプレーすることができる。
【００８０】
容器５０ｆは、ケース３０ｆに収容される。容器５０ｆの出口に係合するために、取付物がケース３０ｆに設けられる。ケース３０ｆの取付物は、流体供給コンジット４９に接続される。ケース３０ｆは、図１４Ｄに示されるように方向Ａに、ユーザによって開けられてもよいアクセスドア３８ｆを含み、空の容器５０ｆを取り外し、その後、新しい容器５０ｆを装填する。ドア３８ｆの揺動運動のために、ヒンジがドア３８ｆの頂部に設けられる。ユーズアップキュー発光ダイオード（ＬＥＤ）３４ｆが、ケース３０ｆに設けられる。ＬＥＤ３４ｆは、上述のＬＥＤ１３４のように作動する。
【００８１】
ケース３０ｆはまた、手動作動ボタン３２ｆを含む。本発明の１つのバージョンにおいて、容器５０ｆは加圧され、容器５０ｆに噴射剤と、出口弁とを含む。手動作動ボタン３２ｆは、化学薬品を容器５０ｆからコンジット４９を通ってスプレーノズル９７ｆへ送出するために、弁を開位置内に動かす。たとえば、作動ボタン３２ｆは、容器５０ｆの底部の弁が開くように、容器５０ｆを下向きに押す。
【００８２】
図１４Ｂを見ると、スプレーノズル９７ｆは、化学薬品を横方向にノズル９７ｆの周囲のまわりにスプレーするために、トイレの蓋２０内に一体化されている。トイレの蓋はまた、圧力センサまたは近接センサ９９ｆを含み、蓋２０が下にあるときを検知する。便器洗浄および／または消臭装置は、圧力センサまたは近接センサ９９ｆによって検知されるように、蓋２０が閉じているときに作動するだけである。圧力センサまたは近接センサ９９ｆを操作するための制御回路は、下記に説明される。
【００８３】
図１５Ａ〜図１５Ｃに移ると、本発明の別の実施形態が示される。便器洗浄および／または消臭装置は、化学薬品用の容器と、スプレーノズルであって、これを通って化学薬品を横方向にノズルの周囲のまわりにスプレーすることができるスプレーノズルと、容器およびスプレーノズルに流体連通する流体供給コンジット４９と、トイレ１０の便器１２のへり１４の近くにスプレーノズルを取り付けるための装着クリップ６０ｇとを含む。化学薬品は、後述されるように、直接便器１２の内側表面１６におよび／またはトイレの水内に、スプレーノズルによってスプレーすることができる。
【００８４】
容器は、ケース３０ｇに収容される。ケース３０ｇは、半透明ハウジングであってもよく、そのため、ユーザは、容器が空になったときを見ることができる。半透明ハウジングはまた、ユーズアップキューを提供してもよい。圧力センサが、容器が空のときに容器の圧力低下を検知し、圧力センサは、半透明ハウジング内の光をトリガする。ハウジングは、次いで、輝き、空の容器が存在することを知らせる。
【００８５】
容器の出口に係合するために、取付物がケース３０ｇに設けられる。ケース３０ｇの取付物は、流体供給コンジット４９に接続される。ケース３０ｇは、手動作動ボタンとして作用する。本発明の１つのバージョンにおいて、容器は加圧され、容器に噴射剤と出口弁とを含む。ケース３０ｇは、化学薬品を容器からコンジット４９を通ってスプレーノズルへ送出するために、ユーザがケース３０ｇを方向Ａに押圧して弁を開位置内に動かすことによって、手動作動ボタンとして作用する。たとえば、ケース３０ｇは、容器の底部の傾斜弁が開くように、容器を横方向に押す。図１５Ｃに示されるように壁に、または、トイレタンクに、ケース３０ｇを装着するために、接着剤ストリップ４４ｇが、ケース３０ｇの後部に設けられる。
【００８６】
図１５Ｂは、トイレ１０の便器１２のへり１４の近くにスプレーノズルを取り付けるための装着クリップ６０ｇを示す。装着クリップ６０ｇは、基部壁６２ｇと、第１の側部壁６４ｇと、第１の側部壁６４ｇから間隔をおいた第２の側部壁６７ｇとを有し、逆略Ｕ字形クリップ６０ｇを形成する。クリップ６０ｇは、可撓性のあるプラスチックから形成され、膨張および収縮を可能にし、様々な便器のへりサイズに対応する。コンジット４９は、基部壁６２ｇおよび第１の側部壁６４ｇの通路に接続される。スプレーノズルは、コンジット４９の端に係合し、コンジット４９から化学薬品を受け取る。
【００８７】
次に、図１６Ａ〜図１６Ｃを参照すると、本発明の別の実施形態が示される。便器洗浄および／または消臭装置は、化学薬品用の容器５０ｈと、スプレーノズル８０であって、これを通って化学薬品を横方向にノズル８０の周囲のまわりにスプレーすることができるスプレーノズル８０と、容器５０ｈおよびスプレーノズル８０に流体連通する流体供給コンジット４９と、トイレ１０の便器１２のへり１４の近くにスプレーノズル８０を取り付けるための装着クリップ６０ｈとを含む。化学薬品は、後述されるように、直接便器１２の内側表面１６におよび／またはトイレの水内に、スプレーノズル８０によってスプレーすることができる。
【００８８】
容器５０ｈは、ケース３０ｈに収容される。容器５０ｈの出口に係合するために、取付物がケース３０ｈに設けられる。ケース３０ｈの取付物は、流体供給コンジット４９に接続される。ケース３０ｈは、図１６Ｃに示されるようにユーザによって開けられてもよいアクセスドア３８ｈを含み、空の容器５０ｈを取り外し、その後、図１６Ｃに示された方向Ｂに、新しい容器５０ｈを装填する。１６Ｃの方向Ａにドア３８ｈが揺動運動するために、ヒンジがドア３８ｈの底部に設けられる。カバー解放ボタン３９ｈが、ユーザがドア３８ｈのラッチを外すまで、ドア３８ｈを閉じたままにする。ユーズアップキュー発光ダイオード（ＬＥＤ）３４ｈが、ケース３０ｈに設けられる。ＬＥＤ３４ｈは、上述のＬＥＤ１３４のように、作動する。ケース３０ｈはまた、手動作動ボタン３２ｈを含む。本発明の１つのバージョンにおいて、容器５０ｈは加圧され、容器５０ｈに噴射剤と出口弁とを含む。手動作動ボタン３２ｈは、容器５０ｈの底部の弁が開き化学薬品をコンジット４９へ送出するように、容器５０ｈを下向きに動かす。図１６Ａに示されるように壁に、または、トイレタンクに、ケース３０ｈを装着するために、接着剤ストリップが、ケース３０ｈの後部に設けられる。
【００８９】
図１７Ａ〜図１７Ｅに移ると、本発明の別の実施形態が示される。便器洗浄および／または消臭装置は、化学薬品用の容器５０ｉと、スプレーノズル８０であって、これを通って化学薬品を横方向にノズル８０の周囲のまわりにスプレーすることができるスプレーノズル８０と、容器５０ｉおよびスプレーノズル８０に流体連通する流体供給コンジット４９と、トイレ１０の便器１２のへり１４の近くにスプレーノズル８０を取り付けるための装着クリップ６０ｉと、を含む。化学薬品は、後述されるように、直接便器１２の内側表面１６におよび／またはトイレの水内に、スプレーノズル８０によってスプレーすることができる。
【００９０】
図１７Ｂは、トイレ１０の便器１２のへり１４の近くにスプレーノズル８０を取り付けるための装着クリップ６０ｉを示す。装着クリップ６０ｉは、基部壁６２ｉと側部壁６４ｉとを有し、逆略Ｌ字形ブラケット７３ｉを形成し、これは、接着剤または吸着カップによってトイレへり１４に接着されてもよい。コンジット４９は、基部壁６２ｉおよび側部壁６４ｉの通路に接続される。スプレーノズル８０は、通路の端に係合し、通路から化学薬品を受け取る。
【００９１】
容器５０ｉは、ケース３０ｉに収容される。容器５０ｉの出口に係合するために、取付物がケース３０ｉに設けられる。ケース３０ｉの取付物は、流体供給コンジット４９に接続される。ケース３０ｉは、ユーザによって開けられてもよいアクセスドア３８ｉを含み、図１７Ｅに示されるように方向Ｂに、空の容器５０ｉを取り外し、その後、新しい容器５０ｉを装填する。ユーズアップキュー発光ダイオード（ＬＥＤ）３４ｉが、ケース３０ｉに設けられる。圧力センサが、容器５０ｉが空のときに容器５０ｉの圧力低下を検知し、圧力センサは、ＬＥＤをトリガして光を発せさせ、空の容器５０ｉが存在することを知らせる。
【００９２】
ケース３０ｉはまた、保管ゴミ箱蓋４８ｉによって覆われた保管ゴミ箱セクション４７ｉを含み、それは、保管ゴミ箱セクション４７ｉにアクセスするために、図１７Ｄに示されるように方向Ｄに開く。ケース３０ｉの窪み４６ｉが、ユーザの手が蓋４８ｉを開けるための区域を提供する。ケース３０ｉはまた、手動作動フットペダル４１ｉを含む。本発明の１つのバージョンにおいて、容器５０ｉは加圧され、容器５０ｉに噴射剤と出口弁とを含む。手動作動フットペダル４１ｉは、容器５０ｉの底部の弁が開き化学薬品をコンジット４９へ送出するように、容器５０ｉを下向きに動かす。ケース３０ｉは、トイレ１０の隣に座し、屑、トイレットペーパーまたは衛生用品用の保管を提供する。
【００９３】
次に、図１８Ａ〜図１８Ｄを参照すると、本発明の別の実施形態が示される。便器洗浄および／または消臭装置は、化学薬品用の容器５０ｊと、スプレーノズル８０であって、これを通って化学薬品を横方向にノズル８０の周囲のまわりにスプレーすることができるスプレーノズル８０と、容器５０ｊおよびスプレーノズル８０に流体連通する流体供給コンジット４９と、トイレ１０の便器１２のへり１４の近くにスプレーノズル８０を取り付けるための装着クリップ６０ｊとを含む。化学薬品は、後述されるように、直接便器１２の内側表面１６におよび／またはトイレの水内に、スプレーノズル８０によってスプレーすることができる。
【００９４】
容器５０ｊは、ケース３０ｊに収容される。容器５０ｊの出口に係合するために、取付物がケース３０ｊに設けられる。ケース３０ｊの取付物は、流体供給コンジット４９に接続される。ケース３０ｊは、ユーザによって開けられてもよいアクセスドア３８ｊを含み、空の容器５０ｊを取り外し、その後、図１８ｃに示されるように方向Ｂに、新しい容器５０ｊおよび電池（提供される場合）を装填する。ドアラッチボタン３９ｊが、ユーザがドア３８ｊのラッチを外すまで、ドア３８ｊを閉じたままにする。ケース３０ｊはまた、取り外し可能な保管ゴミ箱４７ｊを含む。保管ゴミ箱４７ｊの窪み４６ｊが、図１８Ｄに示された方向Ｄにユーザの手が保管ゴミ箱４７を上げるための区域を提供する。
【００９５】
ケース３０ｊはまた、手動作動ボタン３２ｊを含む。本発明の１つのバージョンにおいて、容器５０ｊは加圧され、容器５０ｊに噴射剤と出口弁とを含む。手動作動ボタン３２ｊは、容器５０ｊの底部の弁が開き化学薬品をコンジット４９へ送出するように、容器５０ｊを下向きに動かす。ケース３０ｊは、トイレ１０の隣に座し、屑用の保管を提供する。
【００９６】
図１９Ａ〜図１９Ｃに移ると、本発明の別の実施形態が示される。便器洗浄および／または消臭装置は、化学薬品用の容器５０ｋと、スプレーノズル９７ｋであって、これを通って化学薬品を横方向にノズル９７ｋの周囲のまわりにスプレーすることができるスプレーノズル９７ｋと、容器５０ｋおよびスプレーノズル９７ｋに流体連通する流体供給コンジット４９と、トイレ１０の蓋２０にスプレーノズル９７ｋを取り付けるための装着パッド６０ｋとを含む。化学薬品は、後述されるように、直接便器１２の内側表面１６におよび／またはトイレの水内に、スプレーノズル９７ｋによってスプレーすることができる。
【００９７】
容器５０ｋは、ケース３０ｋに収容される。ケース３０ｋは、図１９Ｃに示されるように、タンク２２の下でトイレ１０の背部にフックで引っ掛ける。容器の出口に係合するために、取付物がケース３０ｋに設けられる。ケース３０ｋの取付物は、流体供給コンジット４９に接続される。容器５０ｋは加圧されてもよく、容器に噴射剤と、出口弁とを含んでもよい。作動ボタン３２ｋは、容器５０ｋが化学薬品を容器からコンジット４９を通ってスプレーノズル９７ｋへ送出するように、弁を開く。
【００９８】
図１９Ｂを見ると、スプレーノズル９７ｋが、化学薬品を横方向にノズル９７ｋの周囲のまわりにスプレーするために、装着パッド６０ｋによって、トイレの蓋２０に装着される。装着パッド６０ｋはまた、圧力センサまたは近接センサ９９ｋを含み、蓋２０が下にあるときを検知する。便器洗浄および／または消臭装置は、圧力センサまたは近接センサ９９ｋによって検知されたように、蓋２０が閉じているときに作動するだけである。
【００９９】
次に、図２０Ａ〜図２０Ｂを参照すると、本発明の別の実施形態が示される。便器洗浄および／または消臭装置は、化学薬品用の容器と、スプレーノズル８０であって、これを通って化学薬品を横方向にノズル８０の周囲のまわりにスプレーすることができるスプレーノズル８０と、容器およびスプレーノズル８０に流体連通する流体供給コンジット４９と、トイレ１０の便器１２のへり１４の近くにスプレーノズル８０を取り付けるための装着クリップ６０ｍと、を含む。化学薬品は、後述されるように、直接便器１２の内側表面１６におよび／またはトイレの水内に、スプレーノズル８０によってスプレーすることができる。便器洗浄および／または消臭装置はまた、人の存在を検出するための近接センサ９８ｍを備えた弁アセンブリ７３ｍを含む。人が存在しないときには（近接センサ９８ｍによって検出されるように）、弁アセンブリ７３ｍの弁は、化学薬品をスプレーノズル８０へ送出してもよいように、開位置にある。人が存在するときには（近接センサ９８ｍによって検出されるように）、弁アセンブリ７３ｍの弁は、化学薬品をスプレーノズル８０へ送出することができないように、閉位置にある。圧力センサまたは近接センサ９８ｍを操作するための制御回路は、下記に説明される。
【０１００】
図２１Ａ〜図２１Ｂに移ると、本発明の別の実施形態が示される。便器洗浄および／または消臭装置は、化学薬品用の容器５０ｎと、スプレーノズル８０であって、これを通って化学薬品を横方向にノズル８０の周囲のまわりにスプレーすることができるスプレーノズル８０と、容器５０ｎおよびスプレーノズル８０に流体連通する流体供給コンジット４９と、便器のへりの近くにスプレーノズル８０を取り付けるための装着クリップ６０ｎとを含む。容器５０ｎを保持するために、環状基部３０ｎが設けられる。コネクタ６９ｎがコンジット４９をクリップ６０ｎに取り付ける。化学薬品は、後述されるように、直接便器の内側表面におよび／またはトイレの水内に、スプレーノズル８０によってスプレーすることができる。
【０１０１】
スピゴット５４ｎが、容器５０ｎと、コンジット４９に流体連通するアクチュエータボタン５３ｎに流体連通する。アクチュエータキャップ５２ｎが、アクチュエータボタン５３ｎを囲繞する。容器５０ｎは加圧され、容器５０ｎに噴射剤と出口弁とを含む。アクチュエータボタン５３ｎは、化学薬品を容器５０ｎからコンジット４９を通ってスプレーノズル８０へ送出するために、弁を下向きに開位置内に動かす。弁からの３０〜３５ｐｓｉの出力圧力が、適切な圧力の非限定的な例である。
【０１０２】
図２１Ａ〜図２１Ｂの装置の変形例は、手動で作動される別の便器洗浄および／または消臭装置を提供することができる。たとえば、スプレーノズル８０の反対側にあるコンジット４９の端の外径は、端が加圧された容器のアクチュエータボタンのオリフィス内に挿入されてもよいように、適切にサイズづけられてもよい。ユーザは、次いで、化学薬品を容器からコンジットを通ってスプレーノズル８０へ送出するために、アクチュエータボタンを下向きに（または横方向に）開位置内に押圧することによって、装置を作動し、洗浄溶液をトイレ内に排出する。この装置では、流体供給コンジット４９、スプレーノズル８０、および、便器のへりの近くにスプレーノズル８０を取り付けるための装着クリップ６０ｎは、便利なことに、洗浄および／または消臭化学薬品含む別個に利用可能な加圧された容器に接続するためにキットとして提供されてもよい。したがって、ノズル、コンジットおよび装着クリップは、容器からの接続を切って捨てることができ、新しいキットを設置することができる。これは、消費者が、ノズルが汚れたと感じる場合、または、ノズルをトイレに長期間つけ続けたくない場合は、消費者にとって重要でありうる。
【０１０３】
次に、図２２Ａ〜図２２Ｋを参照すると、本発明の別の実施形態が示される。便器洗浄および／または消臭装置は、化学薬品用の容器５０ｐと、スプレーノズルであって、これを通って化学薬品を横方向にノズルの周囲のまわりにスプレーすることができるスプレーノズルと、容器５０ｐおよびスプレーノズルに流体連通する流体供給コンジット４９ｐと、トイレの便器のへりの近くにスプレーノズルを取り付けるための装着クリップとを含む。化学薬品は、後述されるように、直接便器の内側表面におよび／またはトイレの水内に、スプレーノズルによってスプレーすることができる。
【０１０４】
容器５０ｐは、ケース３０ｐに収容される。容器５０ｐの出口に係合するために、取付物がケース３０ｐに設けられる。ケース３０ｐの取付物は、流体供給コンジット４９ｐに接続される。ケース３０ｐは、図２２Ｇおよび図２２Ｈに示されるようにユーザによって開けられてもよい頂部アクセスドア３８ｐを含み、図２２Ｈに示された方向Ａに、空の容器５０ｐを取り外し、その後、新しい容器５０ｐを装填する。ドア３８ｐの揺動運動のために、ヒンジ４０ｐがドア３８ｐの側部に設けられる。ユーズアップキュー発光ダイオード（ＬＥＤ）３４ｐが、ケース３０ｐに設けられる。ＬＥＤ３４ｐは、上述のＬＥＤ１３４のように、作動する。ケース３０ｐはまた、電池ユーズアップキュー光３５ｐを含み、これは、電池４５０および４５２に低電圧を知らせる。ケース３０ｐはまた、手動作動スイッチ３２ｐを含む。容器３０ｐの基部は、図２２Ｃのコイル状コンジット４９ｐに示されるように、余分なコンジット４９ｐを保管するために余分な空間を提供する。これによってユーザは、ユーザの視界にさらされるコンジット４９ｐの部分を短くすることができる。
【０１０５】
図２２Ａ〜図２２Ｋの発明の１つのバージョンにおいて、容器５０ｐは加圧され、容器５０ｐに噴射剤と出口弁４６０とを含む。手動作動スイッチ３２ｐは、電池４５０、４５２から、１セットの噛み合い歯車４５３、４５４、４５５、４５６を駆動するモータへ、電力を提供する回路を完成する。歯車は、カム４５８が容器５０ｐの弁４６０を動かして弁４６０を開き化学薬品をコンジット４９ｐへ送出するように、図２２Ｂの円形方向Ｃにカム４５８を回転する。
【０１０６】
ケース３０ｐは、図２２Ｉおよび図２２Ｊに示されるように、ケース３０ｐから上向きに延出する逆略Ｊ字形ハンガー４４ｐを有する。ケース３０ｐのハンガー４４ｐは、図２２Ｆおよび図２２Ｊに示されるように、ユーザがトイレタンク２２の側部壁２４からケース３０ｐを吊すのを可能にする。図２２Ｉを見ると、ハンガー４４ｐは、一方の端に拡大穴４７２を備えた一対の長円のスロット４７１を有する。ピン４７４がケース３０ｐに装着される。ピン４７４は、スロット４７１の幅よりわずかに小さい幅を有するシャンクと、穴４７２の直径よりわずかに小さい直径を有するヘッドとを含む。ハンガー４４ｐは、図２２Ｉに示されるように、ピン４７４のヘッドを穴４７２内に挿入し、ピン４７４のシャンクがスロット４７１の底部内に動くようにハンガー４４ｐを上向きに引くことによって、ケース３０ｐに取り付けられてもよい。このようにして、図２２Ａ〜図２２Ｋの便器洗浄および／または消臭装置は、ハンガー４４ｐを使用してトイレタンク２２に装着されてもよく、または、ハンガー４４ｐは、ケース３０ｐを床に置くために取り外されてもよい。ケース３０ｐはまた、レベリング位置決めねじ４２ｐを含んでもよく、これは、位置決めねじヘッド４３ｐとケース３０ｐとの間の距離を変動するために、ねじこまれるかまたは外されてもよい。図２２Ｈに示されるように、レベリング位置決めねじ４２ｐは、レベリング位置決めねじ４２ｐがトイレタンク２２に接触し、トイレが設置される床に対してケース３０ｐを水平に保つように、設定されてもよい。
【０１０７】
コンジット４９ｐは、図２２Ｉに示されるように、コネクタ６９ｐでケース３０ｐに接続される。コネクタ６９ｐは、化学薬品を容器５０ｐからコンジット４９ｐ内に送出するために取付物および容器５０ｐに流体連通する化学薬品オリフィス７１ｐを含む。コネクタ６９ｐはまた、近接センサに電気連通する装置の制御回路をトイレの近くに置く電気コネクタ７２ｐを含む。この特徴は、図２４Ａ〜図２４Ｅを参照して、下記に説明される。コネクタ６９ｐは、ケース３０ｐの底部の窪み４３１内に圧入される。窪み４３１の第１の穴４３２は電気コネクタ７２ｐを受け取り、窪み４３１の第２の穴４３３は化学薬品オリフィス７１ｐを受け取る。
【０１０８】
次に、図２３Ａ〜図２３Ｋに移ると、本発明の別の実施形態が示される。便器洗浄および／または消臭装置は、化学薬品用の容器５０ｑと、スプレーノズルであって、これを通って化学薬品を横方向にノズルの周囲のまわりにスプレーすることができるスプレーノズルと、容器５０ｑおよびスプレーノズルに流体連通する流体供給コンジット４９ｑと、トイレの便器のへりの近くにスプレーノズルを取り付けるための装着クリップとを含む。化学薬品は、後述されるように、直接便器の内側表面におよび／またはトイレの水内に、スプレーノズルによってスプレーすることができる。
【０１０９】
容器５０ｑは、基部３０ｑに逆さまに（すなわち、出口弁を下に）装着される。容器５０ｑの出口に係合するために、取付物が基部３０ｑに設けられる。基部３０ｑの取付物は、流体供給コンジット４９に接続される。ユーザは、図２３Ｈに示された方向Ａに、空の容器５０ｑを取り外してもよく、その後、新しい容器５０ｑを装填してもよい。ユーズアップキュー発光ダイオード（ＬＥＤ）３４ｑが、基部３０ｑに設けられる（図２３Ｅ参照）。ＬＥＤ３４ｑは、上述のＬＥＤ１３４のように、作動する。基部３０ｑはまた、電池ユーズアップキュー光３５ｑを含み、これは、電池４５０および４５２に低電圧を知らせる。ケース３０ｑはまた、手動作動スイッチ３２ｑを含む。
【０１１０】
図２３Ａ〜図２３Ｋの発明の１つのバージョンにおいて、容器５０ｑは加圧され、容器５０ｑに噴射剤と出口弁４６０とを含む。手動作動スイッチ３２ｑは、電池４５０、４５２から、１セットの噛み合い歯車４５３、４５４、４５５、４５６を駆動するモータへ、電力を提供する回路を完成する。歯車は、カム４５８が容器５０ｑの弁４６０を動かして弁４６０を開き化学薬品をコンジット４９ｑへ送出するように、図２３Ｂの円形方向Ｃにカム４５８を回転する。
【０１１１】
ケース３０ｑは、図２３Ｇおよび図２３Ｉに示されるように、基部３０ｑから上向きに延出する逆略Ｊ字形ハンガー４４ｑを有する。基部３０ｑのハンガー４４ｑは、図２３Ｆおよび図２３Ｊに示されるように、ユーザがトイレタンク２２の側部壁２４から基部３０ｑを吊すのを可能にする。図２３Ｉを見ると、ハンガー４４ｑは、一方の端に拡大穴４７２を備えた一対の長円のスロット４７１を有する。ピン４７４が基部３０ｑに装着される。ピン４７４は、スロット４７１の幅よりわずかに小さい幅を有するシャンクと、穴４７２の直径よりわずかに小さい直径を有するヘッドとを含む。ハンガー４４ｐは、図２３Ｉに示されるように、ピン４７４のヘッドを穴４７２内に挿入し、ピン４７４のシャンクがスロット４７１の底部内に動くようにハンガー４４ｑを上向きに引くことによって、基部３０ｑに取り付けられてもよい。このようにして、図２３Ａ〜図２３Ｋの便器洗浄および／または消臭装置は、ハンガー４４ｑを使用してトイレタンク２２に装着されてもよく、または、ハンガー４４ｑは、基部３０ｑを床に置くために取り外されてもよい。基部３０ｑはまた、レベリング位置決めねじ４２ｑを含んでもよく、これは、位置決めねじヘッド４３ｑと基部３０ｑとの間の距離を変動するために、ねじこまれるかまたは外されてもよい。図２３Ｈに示されるように、レベリング位置決めねじ４２ｑは、レベリング位置決めねじ４２ｑがトイレタンク２２に接触し、トイレが座す床に対して基部３０ｑを水平に保つように、設定されてもよい。ハンガー４４ｑはまた、一対の弾性アーム４５ｑを含み（図２３Ｂ、図２３Ｃ、図２３Ｆ、図２３Ｈ参照）、これは、容器５０ｑを基部３０ｑに固定する。基部３０ｇは頂部がないため、いずれの高さの容器を基部３０ｑに置くことができる。
【０１１２】
コンジット４９ｑは、図２３Ｉに示されるように、コネクタ６９ｑで基部３０ｑに接続される。コネクタ６９ｑは、化学薬品を容器５０ｑからコンジット４９ｑ内に送出するために、取付物と容器５０ｑに流体連通する化学薬品オリフィス７１ｑとを含む。コネクタ６９ｑはまた、近接センサに電気連通する装置の制御回路をトイレの近くに置く電気コネクタ７２ｑを含む。この特徴は、図２４Ａ〜図２４Ｅを参照して、下記に説明される。コネクタ６９ｑは、ケース３０ｑの底部の窪み４３１内に圧入される。窪み４３１の第１の穴４３２は電気コネクタ７２ｑを受け取り、窪み４３１の第２の穴４３３は化学薬品オリフィス７１ｑを受け取る。
【０１１３】
次に、図２４Ａ〜図２４Ｅを参照すると、本発明とともに使用される別の装着クリップ６０ｐおよびスプレーノズル８０が示される。装着クリップ６０ｐは、基部壁６２ｐと、側部壁６４ｐとを有し、逆略Ｌ字形ブラケット７３ｐを形成し、これは、可撓性のある装着ストリップ７４ｐによってトイレへり１４に接着されてもよい。装着ストリップ７４ｐは、トイレへりの頂部および便器の外側側部表面の形状に従うことができるエラストマー材料（たとえばゴム）から形成される。装着ストリップ７４ｐは、その内側表面に吸着カップ７５ｐを含む。
【０１１４】
装着クリップ６０ｐをトイレへり１４に設置するときには、図２４Ｄに示されるように、Ｌ字形ブラケット７３ｐは、トイレへりの頂部に置かれ、装着ストリップは、次いで、トイレへりの頂部および便器の外側側部表面に押される。吸着カップ７５ｐは、装着ストリップ７４ｐを便器に固定し続ける。他の吸着カップ７６ｐがＬ字形ブラケット７３ｐの内側表面に設けられ、装着クリップを便器に固定し続ける。Ｌ字形ブラケット７３ｐは、ノズルをトイレへりに対して固定高さに保つ構造物を提供する。
【０１１５】
ノズル８０は、クリップ６０ｐの側部壁６４ｐに装着される。コンジット４９ｐは、装着ストリップ７４ｐ、基部壁６２ｐおよび側部壁６４ｐの流体通路に接続される。流体通路はコンジット４９から化学薬品を受け取り、スプレーノズル８０は流体通路の端に係合し、流体通路から化学薬品を受け取る。
【０１１６】
装着クリップ６０ｐの側部壁６４ｐは、近接センサ９８ｐを収容する空間を画定する。近接センサ９８ｐは、人の存在を検出する。近接センサ９８ｐを操作するための制御回路は、下記に説明される。制御回路および近接センサ９８ｐは、近接センサ９８ｐから制御回路へ延出するワイヤ５１ｐによって電気連通して置かれる。例として図２２Ａ〜図２２Ｋの装置を使用して、制御回路はケース３０ｐに収容され、ワイヤ５１ｐは、図２２Ｉの電気コネクタ７２ｐによって近接センサ９８ｐから制御回路へ延出する。
【０１１７】
次に、図２５を参照すると、本発明とともに使用される静止スプレーノズル８０ａの実施形態が示される。スプレーノズル８０ａは、ポリエチレンまたはポリプロピレン等の熱可塑性材料から形成されてもよい。スプレーノズル８０ａは、図１Ｂに示された方法でコンジット４９の開放端内に挿入されてもよい。封止ヘッド８１ａは、スプレーノズル８０ａの中間セクション８３ａへ向けて外径が増加する。ディスク形状の排出ヘッド８４ａが、中間セクション８３ａに一体的に接続される。ディスク形状排出ヘッド８４ａは、ディスク形状排出ヘッド８４ａの周囲のまわりに配列された排出オリフィス８５ａを有する。排出オリフィス８５ａは、スプレーノズル８０ａの軸に沿って封止ヘッド８１ａからディスク形状排出ヘッド８４ａへ走る中心流体通路８２ａに流体連通する。好ましくは、排出オリフィス８５ａは、ディスク形状排出ヘッド８４ａの周囲のまわりに均等に間隔をおかれる。
【０１１８】
スプレーノズル８０ａの使用の例示は、図１Ａ〜図１Ｃを参照して詳述することができる。ユーザが手動作動ボタン３２を押圧するときに、化学薬品を容器５０からコンジット４９を通ってスプレーノズル８０ａの中心流体通路８２ａへ送出するために、加圧された容器５０の弁が開位置内に動く。化学薬品は、次いで、ディスク形状排出ヘッド８４ａの周囲のまわりに配列された排出オリフィス８５ａを出る。排出オリフィス８５ａは、ディスク形状排出ヘッド８４ａの周囲全体のまわりに配列されるため、化学薬品は、横方向にノズル８０ａの周囲全体のまわりにスプレーされる。スプレーノズル８０ａのディスク形状排出ヘッド８４ａの軸に対する排出オリフィス８５ａの角度は、トイレの水位線より下におよび／またはトイレの水位線におよび／またはトイレの水位線より上に、化学薬品を直接スプレーするために、変動することができる。また、スプレーノズル８０ａのディスク形状排出ヘッド８４ａとトイレの水位線との間の距離は、トイレの水位線より下におよび／またはトイレの水位線におよび／またはトイレの水位線より上に、化学薬品を直接スプレーするために、変動することができる。スプレーノズル８０ａのディスク形状排出ヘッド８４ａの軸に対する排出オリフィス８５ａの角度を適切に選択することによって、化学薬品はまた、トイレへりの下に方向づけられることができる。排出オリフィス８５ａの各々の角度は、いずれの数のスプレーパターンを形成するために、個別に設定することができる。
【０１１９】
図２６に移ると、本発明とともに使用される回転スプレーノズル８０ｂの実施形態が示される。スプレーノズル８０ｂの構成要素は、ポリエチレンまたはポリプロピレン等の熱可塑性材料から形成されてもよい。スプレーノズル８０ｂは、図１Ｂに示された方法でコンジット４９の開放端内に挿入されてもよい封止ヘッド８１ａを有する。封止ヘッド８１ａは、スプレーノズル８０ｂの中間セクション８３ｂへ向けて外径が増加する。管状流れ通路８６ｂが、中間セクション８３ｂに一体的に接続される。管状流れ通路８６ｂは、スプレーノズル８０ｂの軸に沿って封止ヘッド８１ｂから管状流れ通路８６ｂへ走る中心流体通路８２ａに流体連通する。
【０１２０】
スプレーノズル８０ｂは、管状流れ通路８６ｂ内に位置する流体スピナー８７ｂを有する。流体スピナー８７ｂは、略円筒形であり、流体スピナー８７ｂの一方の端から他方の端へ延出するらせん状溝８８ｂを有する。締まり嵌めを使用して、流体スピナー８７ｂをスプレーノズル８０ｂの管状流れ通路８６ｂに保つことができる。スプレーノズル８０ｂはまた、流体スピナー８７ｂの底部端に接続されたデフレクタプレート９１ｂを有する。デフレクタプレート９１ｂは、流体スピナー８７ｂに対して回転するために流体スピナー８７ｂ端の中心穴に挿入されてもよいコネクタシャフト９２ｂを有する。デフレクタプレート９１ｂはまた、コネクタシャフト９２ｂからデフレクタプレート９１ｂの縁へ半径方向に延出する半径方向リブ９３ｂを有する。
【０１２１】
スプレーノズル８０ｂの使用の例示は、図１Ａ〜図１Ｃを参照して詳述することができる。ユーザが手動作動ボタン３２を押圧するときに、化学薬品を容器５０からコンジット４９を通ってスプレーノズル８０ｂの中心流体通路８２ｂへ送出するために、加圧された容器５０の弁が開位置内に動く。化学薬品は、管状流れ通路８６ｂ内に入り、流体スピナー８７ｂのらせん状溝８８ｂに流れる。らせん状溝８８ｂは、化学薬品にスピン運動を形成する。スピンする化学薬品は、次いで、デフレクタプレート９１ｂに接触する。化学薬品は、デフレクタ（ｄｅｆｌｅｃｔｏｒ）プレート９１ｂの半径方向リブ９３ｂに衝突するときに、デフレクタプレート９１ｂの回転を形成する。化学薬品は、次いで、横方向にノズル８０ｂの周囲全体のまわりにスプレーされる。結果として、回転するデフレクタプレート９１ｂは、シート干渉なしで、泡立ちで便器の内側表面の周囲全体のまわりに化学薬品を均一に広げることができる。デフレクタプレート９１ｂの表面の傾斜および／または半径方向リブ９３ｂの形状は、トイレの水位線より下におよび／またはトイレの水位線におよび／またはトイレの水位線より上に、化学薬品を直接スプレーするために、変動することができる。また、スプレーノズル８０ｂのデフレクタプレート９１ｂとトイレの水位線との間の距離は、トイレの水位線より下におよび／またはトイレの水位線におよび／またはトイレの水位線より上に、化学薬品を直接スプレーするために、変動することができる。スプレーノズル８０ｂのデフレクタプレート９１ｂの形状を適切に選択することによって、化学薬品はまた、トイレへりの下に方向づけられることができる。たとえば、デフレクタプレート９１ｂの縁は、上向きに傾斜するリップを有してもよい。半径方向リブ９３ｂの形状は、いずれの数のスプレーパターンを形成するために、個別に設定することができる。
【０１２２】
次に、図２７を参照すると、本発明とともに使用されるスプレーノズル８０ｃの別の実施形態が示される。スプレーノズル８０ｃの構成要素は、ポリエチレンまたはポリプロピレン等の熱可塑性材料から形成されてもよい。スプレーノズル８０ｃは、図１Ｂに示された方法でコンジット４９の開放端内に挿入されてもよい封止ヘッド８１ｃを有する。封止ヘッド８１ｃは、スプレーノズル８０ｃの中間セクション８３ｃへ向けて外径が増加する。ディスク形状の流れチャンバ８４ｃが、中間セクション８３ｃに一体的に接続される。ディスク形状流れチャンバ８４ｃは、スプレーノズル８０ｃの軸に沿って封止ヘッド８１ｃからディスク形状流れチャンバ８４ｃへ走る中心流体通路８２ｃに流体連通する。
【０１２３】
スプレーノズル８０ｃは、半径方向スロット９０ｃを備えたディスク８９ｃを有する。ディスク８９ｃは、ディスク形状流れチャンバ８４ｃ内に位置する。スプレーノズル８０ｃはまた、ディスク形状流れチャンバ８４ｃに接続されたデフレクタプレート９１ｃを有する。締まり嵌めを使用して、デフレクタプレート９１ｃをディスク形状流れチャンバ８４ｃに接続したままにすることができる。デフレクタプレート９１ｃは、デフレクタプレート９１ｃの周囲のまわりに排出スロット９５ｃを形成する周囲のまわりに歯９４ｃを有する。
【０１２４】
スプレーノズル８０ｃの使用の例示は、図１Ａ〜図１Ｃを参照して詳述することができる。ユーザが手動作動ボタン３２を押圧するときに、化学薬品を容器５０からコンジット４９を通ってスプレーノズル８０ｃの中心流体通路８２ｃへ送出するために、加圧された容器５０の弁が開位置内に動く。化学薬品は、次いで、デフレクタプレート９１ｃの周囲のまわりに配列された排出スロット９５ｃを出る。排出スロット９５ｃは、デフレクタプレート９１ｃの周囲全体のまわりに配列されるため、化学薬品は、横方向にノズル８０ｃの周囲全体のまわりにスプレーされる。スプレーノズル８０ｃの排出スロット９５ｃの寸法は、トイレの水位線より下におよび／またはトイレの水位線におよび／またはトイレの水位線より上に、化学薬品を直接スプレーするために、変動することができる。また、スプレーノズル８０ｃのデフレクタプレート９１ｃとトイレの水位線との間の距離は、トイレの水位線より下におよび／またはトイレの水位線におよび／またはトイレの水位線より上に、化学薬品を直接スプレーするために、変動することができる。スプレーノズル８０ａの排出スロット９５ｃを適切に選択することによって、化学薬品はまた、トイレへりの下に方向づけられることができる。排出スロット９５ｃの各々の寸法は、いずれの数のスプレーパターンを形成するために、個別に設定することができる。
【０１２５】
図２８に移ると、本発明とともに使用される静止スプレーノズル８０ｄの別の実施形態が示される。スプレーノズル８０ｄの構成要素は、ポリエチレンまたはポリプロピレン等の熱可塑性材料から形成されてもよい。スプレーノズル８０ｄは、図１Ｂに示された方法でコンジット４９の開放端内に挿入されてもよい封止ヘッド８１ｄを有する。封止ヘッド８１ｄは、スプレーノズル８０ｄの中間セクション８３ｄへ向けて外径が増加する。円錐台形の流れチャンバ８４ｄが、中間セクション８３ｄに一体的に接続される。流れチャンバ８４ｄは、スプレーノズル８０ｄの軸に沿って封止ヘッド８１ｄから流れチャンバ８４ｄへ走る中心流体通路８２ｄに流体連通する。
【０１２６】
スプレーノズル８０ｄは、流れチャンバ８４ｄに接続されたデフレクタプラグ９１ｄを有する。締まり嵌めを使用して、デフレクタプラグ９１ｄを流れチャンバ８４ｄに接続したままにすることができる。デフレクタプラグ９１ｄは、略ドーム形状のセクション９６ｄを有し、これの周囲のまわりに排出チャネル９５ｄを備える。下部フランジ９４ｄが、ドーム形状セクション９６ｄの底部から外向きに延出する。
【０１２７】
スプレーノズル８０ｄの使用の例示は、図１Ａ〜図１Ｃを参照して詳述することができる。ユーザが手動作動ボタン３２を押圧するときに、化学薬品を容器５０からコンジット４９を通ってスプレーノズル８０ｄの中心流体通路８２ｄへ送出するために、加圧された容器５０の弁が開位置内に動く。化学薬品は、次いで、デフレクタプラグ９１ｄのドーム形状セクション９６ｄの周囲のまわりに配列された排出チャネル９５ｄに入る。化学薬品は、次いで、フランジ９４ｄに接触し、排出チャネル９５ｄは、デフレクタプラグ９１ｄの周囲全体のまわりに配列されるため、化学薬品は、横方向にノズル８０ｄの周囲全体のまわりにスプレーされる。スプレーノズル８０ｄの排出チャネル９５ｄおよび下部フランジ９４ｄの寸法は、トイレの水位線より下におよび／またはトイレの水位線におよび／またはトイレの水位線より上に、化学薬品を直接スプレーするために、変動することができる。また、スプレーノズル８０ｄのデフレクタプラグ９１ｄとトイレの水位線との間の距離は、トイレの水位線より下におよび／またはトイレの水位線におよび／またはトイレの水位線より上に、化学薬品を直接スプレーするために、変動することができる。スプレーノズル８０ｄの排出チャネル９５ｄおよびフランジ９４ｄを適切に寸法づけることによって、化学薬品はまた、トイレへりの下に方向づけられることができる。たとえば、フランジ９４ｄの縁は、上向きに傾斜するリップを有してもよい。排出チャネル９５ｄの各々の寸法は、いずれの数のスプレーパターンを形成するために、個別に設定することができる。
【０１２８】
次に、図２９を参照すると、本発明とともに使用される回転スプレーノズル８０ｅの別の実施形態が示される。スプレーノズル８０ｅの構成要素は、ポリエチレンまたはポリプロピレン等の熱可塑性材料から形成されてもよい。スプレーノズル８０ｅは、図１Ｂに示された方法でコンジット４９の開放端内に挿入されてもよい封止ヘッド８１ｅを有する。封止ヘッド８１ｅは、スプレーノズル８０ｅの中間セクション８３ｅへ向けて外径が増加する。ディスク形状の流れチャンバ８４ｅが、中間セクション８３ｅに一体的に接続される。ディスク形状流れチャンバ８４ｅは、スプレーノズル８０ｅの軸に沿って封止ヘッド８１ｅからディスク形状流れチャンバ８４ｅへ走る中心流体通路８２ｅに流体連通する。
【０１２９】
スプレーノズル８０ｅはまた、流体スピナー８７ｅおよび連結された装着ディスク８９ｅを含む。流体スピナー８７ｅは、封止ヘッド８１ｅおよび中間セクション８３ｅを中心穴９１ｅを通って流体スピナー８７ｅ内に挿入することによって、ディスク形状流れチャンバ８４ｅに置かれる。装着ディスク８９ｅは、流体スピナー８７ｅおよび装着ディスク８９ｅがディスク形状流れチャンバ８４ｅに対して回転してもよいように、流体スピナー８７ｅ内に圧入されてもよい。流体スピナー８７ｅは、流体スピナー８７ｅの環状セクション８５ｅから外向きに延出する流れデフレクタ８８ｅを有する。
【０１３０】
スプレーノズル８０ｅの使用の例示は、図１Ａ〜図１Ｃを参照して詳述することができる。ユーザが手動作動ボタン３２を押圧するときに、化学薬品を容器５０からコンジット４９を通ってスプレーノズル８０ｅの中心流体通路８２ｅへ送出するために、加圧された容器５０の弁が開位置内に動く。化学薬品は、ディスク形状流れチャンバ８４ｅに入り、次いで、装着ディスク８９ｅに接触する。化学薬品は、次いで、外向きに流れ、流体スピナー８７ｅの流れデフレクタ８８ｅに接触し、流体スピナー８７ｅの回転を形成する。化学薬品は、次いで、横方向にノズル８０ｅの周囲全体のまわりにスプレーされる。装着ディスク８９ｅの表面の傾斜および／または流体スピナー８７ｅの流れデフレクタ８８ｅの形状は、トイレの水位線より下におよび／またはトイレの水位線におよび／またはトイレの水位線より上に、化学薬品を直接スプレーするために、変動することができる。また、スプレーノズル８０ｅの装着ディスク８９ｅとトイレの水位線との間の距離は、トイレの水位線より下におよび／またはトイレの水位線におよび／またはトイレの水位線より上に、化学薬品を直接スプレーするために、変動することができる。スプレーノズル８０ｅの装着ディスク８９ｅおよび流体スピナー８７ｅの形状を適切に選択することによって、化学薬品はまた、トイレへりの下に方向づけられることができる。流体スピナー８７ｅの流れデフレクタ８８ｅの形状は、いずれの数のスプレーパターンを形成するために、個別に設定することができる。
【０１３１】
次に、図３０〜図３３を参照すると、本発明とともに使用される回転スプレーノズル８０ｆのさらに別の実施形態が示される。スプレーノズル８０ｆの構成要素は、ポリエチレンまたはポリプロピレン等の熱可塑性材料から形成されてもよい。スプレーノズル８０ｆは、図１Ｂに示された方法でコンジット４９の開放端内に挿入されてもよい封止ヘッド８１ｆを有する。封止ヘッド８１ｆは、スプレーノズル８０ｆの管状中間セクション８３ｆへ向けて外径が増加する。管状流れ通路８４ｆが、中間セクション８３ｆに一体的に接続される。管状流れ通路８４ｆは、スプレーノズル８０ｆの軸に沿って封止ヘッド８１ｆから管状流れ通路８４ｆへ走る中心流体通路８２ｆに流体連通する。中心流体通路８２ｆは、円錐状分岐端８５ｆを有する。
【０１３２】
スプレーノズル８０ｆは、図３２に示されるように、管状流れ通路８４ｆの環状チャネル８７ｆ内に圧入される管状流体スピナー８６ｆを有する。図３３を見ると、流体スピナー８６ｆは、略円筒形であり、流体スピナー８６ｆの内側表面の下部セクションに４つのらせん状溝８８ｆを有する。らせん状溝８８ｆの各々は、狭いスロット８９ｆへテーパし、流体の高圧ストリームを形成する。
【０１３３】
スプレーノズル８０ｆはまた、流体スピナー８６ｆ内に圧入される円筒形装着チューブ９２ｆの頂部端に接続されたドーム状デフレクタボタン９１ｆを有する。デフレクタプレート９３ｆは、流体スピナー８６ｆに対して回転するために装着チューブ９２ｆの端の中心穴９７ｆに挿入されてもよいスプリットコネクタシャフト９４ｆを有する。デフレクタプレート９３ｆはまた、デフレクタプレート９３ｆから上向きに延出し且つコネクタシャフト９４ｆからデフレクタプレート９３ｆの縁へ半径方向に延出する半径方向リブ９５ｆを有する。図３１に示されるように、半径方向リブ９５ｆは、その上部端にランプ状セクション９６ｆを有してもよい。
【０１３４】
スプレーノズル８０ｆの使用の例示は、図１Ａ〜図１Ｃおよび図３２を参照して詳述することができる。ユーザが手動作動ボタン３２を押圧するときに、化学薬品を容器５０からコンジット４９を通ってスプレーノズル８０ｆの中心流体通路８２ｆへ送出するために、加圧された容器５０の弁が開位置内に動く。化学薬品は、通路８２ｆの分岐端８５ｆに入り、流体スピナー８６ｆのらせん状溝８８ｆに流れる。らせん状溝８８ｆは、化学薬品にスピン運動を形成する。スピンする化学薬品は、次いで、デフレクタプレート９３ｆに接触する。化学薬品は、デフレクタプレート９３ｆの半径方向リブ９５ｆに衝突するときに、デフレクタプレート９３ｆの回転を形成する。化学薬品は、次いで、横方向にノズル８０ｆの周囲全体のまわりにスプレーされる。結果として、回転するデフレクタプレート９３ｆは、シート干渉なしで、泡立ちで便器の内側表面の周囲全体のまわりに化学薬品を均一に広げることができる。デフレクタプレート９３ｆの表面の傾斜および／または半径方向リブ９５ｆの形状は、トイレの水位線より下におよび／またはトイレの水位線におよび／またはトイレの水位線より上に、化学薬品を直接スプレーするために、変動することができる。また、スプレーノズル８０ｆのデフレクタプレート９３ｆとトイレの水位線との間の距離は、トイレの水位線より下におよび／またはトイレの水位線におよび／またはトイレの水位線より上に、化学薬品を直接スプレーするために、変動することができる。スプレーノズル８０ｆのデフレクタプレート９３ｆの形状を適切に選択することによって、化学薬品はまた、トイレへりの下に方向づけられることができる。たとえば、デフレクタプレート９３ｆの縁は、上向きに傾斜するリップを有してもよい。半径方向リブ９５ｆの形状は、いずれの数のスプレーパターンを形成するために、個別に設定することができる。
【０１３５】
図２５〜図３３は、本発明に使用されるスプレーノズルの非限定的な例を示す。これに関して、他のノズルもまた本発明に使用されるのに適切である。たとえば、本発明は、トレイ内に、または、トイレ自体に、または、トイレ自体の上に、座すノズルの使用を含んでもよい。ノズルは、静止ヘッド、または、回転するかまたはスピンするヘッド、または、振動ヘッド（たとえば、米国特許第４，５６２，８６７号に記載されたもの）を含んでもよく、便器内に且つトイレへりの下に適切な範囲を提供するために、様々な化学薬品を排出する手段を提供する。
【０１３６】
上述の装置に対して、化学薬品を容器からコンジットへ手動で送出することは、多くの異なる方法で達成することができる。たとえば、上述のように、手動作動ボタンまたはフットペダルを使用して、加圧された容器の弁を動かし、化学薬品をコンジット４９内に且つスプレーノズル８０内に送出することができる。あるいは、米国特許第４，６１８，０７７号に示されたもの等の、手動トリガ型の噴霧器を使用して、化学薬品を容器からコンジット４９内に且つスプレーノズル８０内に導入することができる。
【０１３７】
米国特許出願公開第２００５／０１３３５４０号に示されたもの等の電気モータ駆動噴霧器を使用して、化学薬品を容器からコンジット４９内に且つスプレーノズル８０内に導入することもできる。このタイプの電気モータ駆動噴霧器において、電池がピストンポンプ用のモータに動力を供給する。可撓性のあるピックアップチューブが化学薬品を入れた容器から延出する。通気孔が、噴霧器から後ろに下に容器へ設けられ、液体が抜かれるときに、容器を通気する。スプレーヘッドハウジングのモータが、半径方向突起物を備えた円形部材を駆動する。突起物は、カムフォロアのスロットの上下に浮かび、出口ノズルに隣接するピストンシリンダで、ピストンヘッドを前後に駆動する。適切なチェック弁が、ピストンの動きに応じて容器から出口への流れを可能にし、依然として、ピストンチャンバからの戻り流れを防止する。そのような電気モータ駆動噴霧器のノズルを、コンジット４９に接続することができる。
【０１３８】
化学薬品を容器からコンジットへ且つスプレーノズル内に自動で送出することは、多くの異なる方法で達成することができる。傾斜弁を備えた加圧された容器を使用するときには、制御回路およびソレノイドを使用して、化学薬品を容器からコンジット内に且つスプレーノズル内に解放することができる。特に、制御回路はソレノイドに電圧を加えることができ、電圧を加えられたときに、ソレノイドのコアが、容器の傾斜弁に対して動き（押し下げ）、化学薬品を加圧された容器からコンジット内に解放することができる。化学薬品を加圧された容器からコンジット内に解放するための他の手段も、適切である。制御回路は、レバーを備えた歯車に噛み合うモータに電圧を加えることができ、レバーは、容器の傾斜弁に対して動き、化学薬品を加圧された容器からコンジット内に解放する。制御回路はまた、容器の傾斜弁に対して動いて化学薬品を加圧された容器からコンジット内に解放する歯車に噛み合うモータに電圧を加えることができる。制御回路はまた、カムを備えた歯車に噛み合うモータに電圧を加えることができ、カムは、図２２Ｂおよび図２３Ｂに示されるように、容器の傾斜弁に対して動き、化学薬品を加圧された容器からコンジット内に解放する。
【０１３９】
制御回路は、ソレノイドに電圧を加えることができ且つ調整可能な時間パターンにしたがって化学薬品を容器からコンジット内に解放するように、電池およびプログラム可能な時間帯別タイマー（ｔｉｍｅ−ｏｆ−ｄａｙ  ｔｉｍｅｒ）を含んでもよい。たとえば、化学薬品を８時間のインターバルで、容器からコンジット内に解放してもよい。当然ながら、そのようなプログラム可能な時間帯別タイマーは、化学薬品をコンジットおよびスプレーノズル内に解放する間のいずれの数の時間期間を可能にする。このようにして、プログラム可能な時間帯別タイマーを備えた制御回路は、連続作用便器洗浄システムを提供する。
【０１４０】
他の制御回路もまた適切である。たとえば、制御回路は、トイレ近くに人の存在を検出する近接センサと電気連通するプロセッサを含んでもよい。プロセッサは、トイレ近くに人が検知されなくなった後の一定の時間期間でソレノイドに電圧を加え化学薬品を容器からコンジット内に解放するように、タイミング回路を含む。たとえば、近接センサは、トイレ近くに人がいるとの信号をプロセッサへ送る。人が離れたときには、近接センサは、今はトイレ近くに人がいないことを示す別の信号をプロセッサへ送る。次いで、プロセッサのカウントダウンタイマーが、化学薬品を容器からコンジット内に解放するのを遅くする。次いで、プロセッサは、化学薬品をコンジットおよびスプレーノズル内に解放する間のさらなる時間期間を可能にする。１つの例において、人がトイレの区域を離れたと近接センサがプロセッサに示した後に、化学薬品の送出は３０分後に始まり、定期的なインターバルで続いてもよい。あるいは、化学薬品の送出は、ユーザが作動ボタンを押圧した直後に開始してもよく、次いで、８時間（または他の時間期間）のインターバルで続く。このようにして、これらの制御回路は、便器を洗浄する時間および努力を減少する連続作用便器洗浄システムを提供する。化学薬品を送出する定期的なインターバルには、いずれの時間期間が選ばれてもよい。適切なインターバルは、少なくとも３０分、少なくとも２時間、少なくとも６時間等であってもよい。およそ８時間が好ましい。
【０１４１】
化学薬品を容器からコンジットへ自動で送出することはまた、電気駆動ポンプおよび制御回路を使用して、達成することができる。たとえば、上述の米国特許出願公開第２００５／０１３３５４０号の電気駆動ポンプ噴霧器は、ポンプが調整可能な時間パターンにしたがって作動し、それによって化学薬品を容器からコンジットおよびスプレーノズル内に送出するように、プログラムプログラム可能な時間帯別タイマーを備える制御回路を含むことができる。そのような制御回路は、プログラムされた時間期間の自動および／または手動のオーバーライド（ｏｖｅｒｒｉｄｅ）を実施して、化学薬品のスプレーサイクルの開始を停止することができるため、非常に有利である。たとえば、人または家庭の動物が便器近くにいる場合には、ユーザが装置をオフにしてもよく、または、制御回路に電気連通する近接センサがスプレーサイクルの開始を停止することができる。制御回路の別の例は、トイレの水近接センサを含むことができ、そこでは、フラッシュ中にトイレの水の頂部のレベル低下がトイレの水近接センサによって検知され、タイマー回路が、フラッシュ後に設定時間期間でスプレーサイクルを自動的に開始する。
【０１４２】
本発明にしたがった便器洗浄装置とともに使用するために、様々な洗浄および／または消臭化学薬品が適切である。たとえば、弱酸性の且つ中性に近いｐＨの抗菌組成物たとえば米国特許第６，４７１，９７４号および第６，１６２，３７１号に記載されたもの等が、本発明にしたがった便器洗浄装置と使用するときには、有利でありうる。アルカリ性抗菌便器洗浄製剤たとえば米国特許第６，４２５，４０６号に記載されたもの等もまた、有利でありうる。米国特許第６，８１２，１９６号に記載されたもの等の酸性組成物もまた、適切であってもよい。酸性組成物を使用するときには、プラスチックライナーを備えたスチール容器または囲繞する噴射剤を備えたブラダー（ｂｌａｄｄｅｒ）が、スチール容器の酸腐食を最小限にするために望ましい。アルミニウム容器もまた、酸性組成物用の選択肢であってもよい。便器および／またはトイレの水に加えられる化学薬品の量は、選ばれた組成物に依存する。たとえば、乳酸、界面活性剤および溶剤を含む酸性組成物において、２〜１０ミリリットル用量の化学薬品が、適切であってもよい。上記化学薬品は、本発明にしたがった便器洗浄装置とともに使用するのに適切な洗浄および／または消臭化学薬品の非限定的な例示的な例である。他の例の適切な化学薬品は、たとえば、酵素、キレート剤、腐食剤、および、アミノ酸を含む。
【０１４３】
このようにして、本発明は、化学薬品を横方向に装置のノズルの周囲のまわりに手動でまたは自動でスプレーする便器洗浄装置を提供する。結果として、便器の内側表面のまわりに化学薬品を完全に覆うことが可能である。
【０１４４】
本発明は、一定の実施形態を参照して詳細に記載されてきたが、本発明は記載された実施形態以外によって実行することができることを当業者は認識し、記載された実施形態は、例示目的に呈されたものであり、限定目的ではない。したがって、本発明の範囲は、本明細書に含まれる実施形態の記載に限定されるべきではない。
【産業上の利用可能性】
【０１４５】
本発明は、便器の内側表面におよび／またはトイレの水におよび／またはトイレへりの下に、化学薬品をスプレーするための便器洗浄装置を提供する。
【図面の簡単な説明】
【０１４６】
【図１Ａ】本発明の第１の実施形態にしたがった便器洗浄装置の斜視図である。
【図１Ｂ】図１Ａの線１Ｂ−１Ｂに沿って取られた斜視図であり、図１Ａの便器洗浄装置の装着クリップおよびスプレーノズルを示す。
【図１Ｃ】図１Ａの便器洗浄装置の化学薬品容器および容器ケースを示す斜視図である。
【図２Ａ】本発明の第２の実施形態にしたがった便器洗浄装置の斜視図である。
【図２Ｂ】図２Ａの便器洗浄装置の装着およびスプレーノズルを示す斜視図である。
【図２Ｃ】図２Ａの便器洗浄装置の容器ケースに挿入されている化学薬品容器を示す側面図である。
【図２Ｄ】図２Ａの便器洗浄装置の化学薬品容器ケースを示す斜視図である。
【図２Ｅ】図２Ａの便器洗浄装置とともに使用される代替の化学薬品容器ケースを示す斜視図である。
【図３Ａ】本発明の第３の実施形態にしたがった便器洗浄装置の斜視図である。
【図３Ｂ】図３Ａの便器洗浄装置の装着クリップおよびスプレーノズルを示す斜視図である。
【図３Ｃ】図３Ａの便器洗浄装置の化学薬品容器ケースを示す斜視図である。
【図４Ａ】本発明の第４の実施形態にしたがった便器洗浄装置の斜視図である。
【図４Ｂ】図４Ａの便器洗浄装置の装着ブラケットおよびスプレーノズルを示す斜視図である。
【図４Ｃ】図４Ａの便器洗浄装置の化学薬品容器ケースを示す斜視図である。
【図４Ｄ】図４Ａの便器洗浄装置の容器ケースに挿入されている化学薬品容器を示す斜視図である。
【図５Ａ】本発明の第５の実施形態にしたがった便器洗浄装置の斜視図である。
【図５Ｂ】図５Ａの便器洗浄装置の装着ストリップおよびスプレーノズルを示す斜視図である。
【図５Ｃ】図５Ａの便器洗浄装置の化学薬品容器ケースを示す斜視図である。
【図５Ｄ】図５Ａの便器洗浄装置の容器ケースに挿入されている化学薬品容器を示す斜視図である。
【図６Ａ】本発明の第６の実施形態にしたがった便器洗浄装置の斜視図である。
【図６Ｂ】図６Ａの便器洗浄装置の装着ケースおよびスプレーノズルを示す斜視図である。
【図６Ｃ】図６Ａの便器洗浄装置の装着ケースおよびスプレーノズルを示す後面図である。
【図６Ｄ】図６Ａの便器洗浄装置の化学薬品容器およびス容器ケースを示す斜視図である。
【図７Ａ】本発明の第７の実施形態にしたがった便器洗浄装置の斜視図である。
【図７Ｂ】図７Ａの便器洗浄装置の装着ブラケットおよびスプレーノズルを示す斜視図である。
【図７Ｃ】図７Ａの便器洗浄装置の化学薬品容器ケースを示す斜視図である。
【図８Ａ】本発明の第８の実施形態にしたがった便器洗浄装置の斜視図である。
【図８Ｂ】図８Ａの便器洗浄装置の装着クリップおよびスプレーノズルを示す斜視図である。
【図８Ｃ】トイレタンクから吊された図８Ａの便器洗浄装置の化学薬品容器ケースを示す側面図である。
【図８Ｄ】図８Ａの便器洗浄装置の化学薬品容器ケースを示す正面右斜視図である。
【図８Ｅ】図８Ａの便器洗浄装置の容器ケースに挿入されている化学薬品容器を示す斜視図である。
【図９Ａ】本発明の第９の実施形態にしたがった便器洗浄装置の斜視図である。
【図９Ｂ】図９Ａの便器洗浄装置の容器ケースを示す斜視図である。
【図９Ｃ】図９Ａの便器洗浄装置の容器ケースに挿入されている化学薬品容器を示す斜視図である。
【図１０Ａ】本発明の第１０の実施形態にしたがった便器洗浄装置の斜視図である。
【図１０Ｂ】図１０Ａの便器洗浄装置の装着クリップおよびスプレーノズルを示す斜視図である。
【図１０Ｃ】図１０Ａの便器洗浄装置の化学薬品容器ケースおよびトイレブラシを示す斜視図である。
【図１１Ａ】本発明の第１１の実施形態にしたがった便器洗浄装置の斜視図である。
【図１１Ｂ】図１１Ａの便器洗浄装置の化学薬品容器ケースおよびトイレブラシを示す正面斜視図である。
【図１１Ｃ】図１１Ａの便器洗浄装置の化学薬品容器ケースおよびトイレブラシを示す後面斜視図である。
【図１１Ｄ】図１１Ａの便器洗浄装置の容器ケースに挿入されている化学薬品容器を示す斜視図である。
【図１２Ａ】本発明の第１２の実施形態にしたがった便器洗浄装置の斜視図である。
【図１２Ｂ】図１２Ａの便器洗浄装置の装着クリップ、スプレーノズル、洗浄剤容器、および、容器ケースを示す分解斜視図である。
【図１３Ａ】本発明の第１３の実施形態にしたがった便器洗浄装置の斜視図である。
【図１３Ｂ】図１３Ａの便器洗浄装置の装着クリップおよびスプレーノズルを示す斜視図である。
【図１３Ｃ】トイレタンクから吊された図１３Ａの便器洗浄装置の化学薬品容器ケースを示す上面斜視図である。
【図１３Ｄ】図１３Ａの便器洗浄装置の容器ケースに挿入されている化学薬品容器を示す上面斜視図である。
【図１３Ｅ】トイレのオーバーフローチューブに挿入された流体送出コンジットを有する本発明の第１３の実施形態にしたがった便器洗浄装置の正面切欠図である。
【図１４Ａ】本発明の第１４の実施形態にしたがった便器洗浄装置の斜視図である。
【図１４Ｂ】図１４Ａの便器洗浄装置の蓋下スプレーノズルを示す斜視図である。
【図１４Ｃ】図１４Ａの便器洗浄装置の化学薬品容器ケースを示す斜視図である。
【図１４Ｄ】図１４Ａの便器洗浄装置の容器ケースに挿入された化学薬品容器を示す斜視図である。
【図１５Ａ】本発明の第１５の実施形態にしたがった便器洗浄装置の斜視図である。
【図１５Ｂ】図１５Ａの便器洗浄装置の装着クリップおよびスプレーノズルを示す斜視図である。
【図１５Ｃ】図１５Ａの便器洗浄装置の化学薬品容器ケースを示す斜視図である。
【図１６Ａ】本発明の第１６の実施形態にしたがった便器洗浄装置の斜視図である。
【図１６Ｂ】壁に取り付けられた図１６Ａの便器洗浄装置の化学薬品容器ケースを示す斜視図である。
【図１６Ｃ】図１６Ａの便器洗浄装置の容器ケースに挿入されている化学薬品容器を示す斜視図である。
【図１７Ａ】本発明の第１７の実施形態にしたがった便器洗浄装置の斜視図である。
【図１７Ｂ】図１７Ａの便器洗浄装置の装着クリップおよびスプレーノズルを示す斜視図である。
【図１７Ｃ】図１７Ａの便器洗浄装置の化学薬品容器ケースを示す斜視図である。
【図１７Ｄ】図１７Ａの便器洗浄装置の容器ケースのゴミ入れを示す斜視図である。
【図１７Ｅ】図１７Ａの便器洗浄装置の容器ケースに挿入されている化学薬品容器を示す斜視図である。
【図１８Ａ】本発明の第１８の実施形態にしたがった便器洗浄装置の斜視図である。
【図１８Ｂ】図１８Ａの便器洗浄装置の化学薬品容器ケースを示す斜視図である。
【図１８Ｃ】図１８Ａの便器洗浄装置の容器ケースに挿入されている化学薬品容器を示す斜視図である。
【図１８Ｄ】図１８Ａの便器洗浄装置の容器ケースの取り外し可能なゴミ入れを示す斜視図である。
【図１９Ａ】本発明の第１９の実施形態にしたがった便器洗浄装置の斜視図である。
【図１９Ｂ】図１９Ａの便器洗浄装置の装着基部およびスプレーノズルを示す斜視図である。
【図１９Ｃ】トレイに装着された図１９Ａの便器洗浄装置の化学薬品容器ケースを示す側面図である。
【図２０Ａ】本発明の第２０の実施形態にしたがった便器洗浄装置の斜視図である。
【図２０Ｂ】図２０Ａの便器洗浄装置の装着基部およびスプレーノズルを示す斜視図である。
【図２１Ａ】本発明の第２１の実施形態にしたがった便器洗浄装置の容器基部、容器、流体コンジット、装着クリップ、および、スプレーノズルの斜視図である。
【図２１Ｂ】図２１Ａの便器洗浄装置の分解斜視図である。
【図２２Ａ】本発明の第２２の実施形態にしたがった便器洗浄装置の容器ケースおよび流体コンジットの右斜視図である。
【図２２Ｂ】図２２Ａの便器洗浄装置の内部容器および流体送出手段を示す正面図である。
【図２２Ｃ】図２２Ａの便器洗浄装置の内部容器および流体送出手段を示す右側面図である。
【図２２Ｄ】図２２Ａの便器洗浄装置の内部容器および流体送出手段を示す上面図である。
【図２２Ｅ】図２２Ａの便器洗浄装置の容器ケースおよび流体コンジットを示す左斜視図である。
【図２２Ｆ】トイレタンクの側部壁に装着された図２２Ａの便器洗浄装置を示す斜視図である。
【図２２Ｇ】図２２Ａの便器洗浄装置の容器ケースおよび容器アクセスドアを示す右斜視図である。
【図２２Ｈ】トイレタンクの側部壁に装着された図２２Ａの便器洗浄装置を示す側面図である。
【図２２Ｉ】図２２Ａの便器洗浄装置の容器ケースおよびハンガーを示す後面斜視図である。
【図２２Ｊ】トイレタンクに装着された図２２Ａの便器洗浄装置のハンガーを示す詳細側面図である。
【図２２Ｋ】図２２Ａの便器洗浄装置の１つのケースレベリング位置決めねじを示す詳細斜視図である。
【図２３Ａ】本発明の第２３の実施形態にしたがった便器洗浄装置の容器ケースおよび流体コンジットの右斜視図である。
【図２３Ｂ】図２３Ａの便器洗浄装置の内部容器および流体送出手段を示す正面図である。
【図２３Ｃ】図２３Ａの便器洗浄装置の内部容器および流体送出手段を示す右側面図である。
【図２３Ｄ】図２３Ａの便器洗浄装置の内部容器および流体送出手段を示す上面図である。
【図２３Ｅ】図２３Ａの便器洗浄装置の容器ケースおよび流体コンジットを示す左斜視図である。
【図２３Ｆ】トイレタンクの側部壁に装着された、図２３Ａの便器洗浄装置を示す斜視図である。
【図２３Ｇ】図２３Ａの便器洗浄装置の容器ケースおよび容器アクセスドアを示す右斜視図である。
【図２３Ｈ】トイレタンクの側部壁に装着された図２３Ａの便器洗浄装置を示す側面図である。
【図２３Ｉ】図２３Ａの便器洗浄装置の容器ケースおよびハンガーを示す後面斜視図である。
【図２３Ｊ】トイレタンクに装着された、図２３Ａの便器洗浄装置のハンガーを示す詳細側面図である。
【図２３Ｋ】図２３Ａの便器洗浄装置の１つのケースレベリング位置決めねじを示す詳細斜視図である。
【図２４Ａ】本発明にしたがった便器洗浄装置とともに使用されるのに適切な別の装着クリップおよびスプレーノズルを示す斜視図である。
【図２４Ｂ】図２４Ａの装着クリップおよびスプレーノズルの拡大斜視図である。
【図２４Ｃ】図２４Ａの装着クリップおよびスプレーノズルの別の斜視図である。
【図２４Ｄ】便器のへりに装着された、図２４Ａの装着クリップおよびスプレーノズルを示す上面右斜視図である。
【図２４Ｅ】便器のへりに装着された、図２４Ａの装着クリップおよびスプレーノズルを示す上面左斜視図である。
【図２５】本発明にしたがった便器洗浄装置とともに使用されるのに適切なスプレーノズルの１つの実施形態の斜視図である。
【図２６】本発明にしたがった便器洗浄装置とともに使用されるのに適切なスプレーノズルの別の実施形態の分解斜視図である。
【図２７】本発明にしたがった便器洗浄装置とともに使用されるのに適切なスプレーノズルのさらに別の実施形態の分解斜視図である。
【図２８】本発明にしたがった便器洗浄装置とともに使用されるのに適切なスプレーノズルの、さらに別の実施形態の分解斜視図である。
【図２９】本発明にしたがった便器洗浄装置とともに使用されるのに適切なスプレーノズルのさらに別の実施形態の分解斜視図である。
【図３０】本発明にしたがった便器洗浄装置とともに使用されるのに適切なスプレーノズルのさらに別の実施形態の斜視図である。
【図３１】図３０のスプレーノズルの分解斜視図である。
【図３２】図３０の線３２−３２に沿って取られた図３０のスプレーノズルの断面図である。
【図３３】図３１の線３３−３３に沿って取られた図３１のスプレーノズルの流体スピナー本体の断面図である。
【図１Ａ】
2009520896.tif 000003
【図１Ｂ】
2009520896.tif 000004
【図１Ｃ】
2009520896.tif 000005
【図２Ａ】
2009520896.tif 000006
【図２Ｂ】
2009520896.tif 000007
【図２Ｃ】
2009520896.tif 000008
【図２Ｄ】
2009520896.tif 000009
【図２Ｅ】
2009520896.tif 000010
【図３Ａ】
2009520896.tif 000011
【図３Ｂ】
2009520896.tif 000012
【図３Ｃ】
2009520896.tif 000013
【図４Ａ】
2009520896.tif 000014
【図４Ｂ】
2009520896.tif 000015
【図４Ｃ】
2009520896.tif 000016
【図４Ｄ】
2009520896.tif 000017
【図５Ａ】
2009520896.tif 000018
【図５Ｂ】
2009520896.tif 000019
【図５Ｃ】
2009520896.tif 000020
【図５Ｄ】
2009520896.tif 000021
【図６Ａ】
2009520896.tif 000022
【図６Ｂ】
2009520896.tif 000023
【図６Ｃ】
2009520896.tif 000024
【図６Ｄ】
2009520896.tif 000025
【図７Ａ】
2009520896.tif 000026
【図７Ｂ】
2009520896.tif 000027
【図７Ｃ】
2009520896.tif 000028
【図８Ａ】
2009520896.tif 000029
【図８Ｂ】
2009520896.tif 000030
【図８Ｃ】
2009520896.tif 000031
【図８Ｄ】
2009520896.tif 000032
【図８Ｅ】
2009520896.tif 000033
【図９Ａ】
2009520896.tif 000034
【図９Ｂ】
2009520896.tif 000035
【図９Ｃ】
2009520896.tif 000036
【図１０Ａ】
2009520896.tif 000037
【図１０Ｂ】
2009520896.tif 000038
【図１０Ｃ】
2009520896.tif 000039
【図１１Ａ】
2009520896.tif 000040
【図１１Ｂ】
2009520896.tif 000041
【図１１Ｃ】
2009520896.tif 000042
【図１１Ｄ】
2009520896.tif 000043
【図１２Ａ】
2009520896.tif 000044
【図１２Ｂ】
2009520896.tif 000045
【図１３Ａ】
2009520896.tif 000046
【図１３Ｂ】
2009520896.tif 000047
【図１３Ｃ】
2009520896.tif 000048
【図１３Ｄ】
2009520896.tif 000049
【図１３Ｅ】
2009520896.tif 000050
【図１４Ａ】
2009520896.tif 000051
【図１４Ｂ】
2009520896.tif 000052
【図１４Ｃ】
2009520896.tif 000053
【図１４Ｄ】
2009520896.tif 000054
【図１５Ａ】
2009520896.tif 000055
【図１５Ｂ】
2009520896.tif 000056
【図１５Ｃ】
2009520896.tif 000057
【図１６Ａ】
2009520896.tif 000058
【図１６Ｂ】
2009520896.tif 000059
【図１６Ｃ】
2009520896.tif 000060
【図１７Ａ】
2009520896.tif 000061
【図１７Ｂ】
2009520896.tif 000062
【図１７Ｃ】
2009520896.tif 000063
【図１７Ｄ】
2009520896.tif 000064
【図１７Ｅ】
2009520896.tif 000065
【図１８Ａ】
2009520896.tif 000066
【図１８Ｂ】
2009520896.tif 000067
【図１８Ｃ】
2009520896.tif 000068
【図１８Ｄ】
2009520896.tif 000069
【図１９Ａ】
2009520896.tif 000070
【図１９Ｂ】
2009520896.tif 000071
【図１９Ｃ】
2009520896.tif 000072
【図２０Ａ】
2009520896.tif 000073
【図２０Ｂ】
2009520896.tif 000074
【図２１Ａ】
2009520896.tif 000075
【図２１Ｂ】
2009520896.tif 000076
【図２２Ａ】
2009520896.tif 000077
【図２２Ｂ】
2009520896.tif 000078
【図２２Ｃ】
2009520896.tif 000079
【図２２Ｄ】
2009520896.tif 000080
【図２２Ｅ】
2009520896.tif 000081
【図２２Ｆ】
2009520896.tif 000082
【図２２Ｇ】
2009520896.tif 000083
【図２２Ｈ】
2009520896.tif 000084
【図２２Ｉ】
2009520896.tif 000085
【図２２Ｊ】
2009520896.tif 000086
【図２２Ｋ】
2009520896.tif 000087
【図２３Ａ】
2009520896.tif 000088
【図２３Ｂ】
2009520896.tif 000089
【図２３Ｃ】
2009520896.tif 000090
【図２３Ｄ】
2009520896.tif 000091
【図２３Ｅ】
2009520896.tif 000092
【図２３Ｆ】
2009520896.tif 000093
【図２３Ｇ】
2009520896.tif 000094
【図２３Ｈ】
2009520896.tif 000095
【図２３Ｉ】
2009520896.tif 000096
【図２３Ｊ】
2009520896.tif 000097
【図２３Ｋ】
2009520896.tif 000098
【図２４Ａ】
2009520896.tif 000099
【図２４Ｂ】
2009520896.tif 000100
【図２４Ｃ】
2009520896.tif 000101
【図２４Ｄ】
2009520896.tif 000102
【図２４Ｅ】
2009520896.tif 000103
【図２５】
2009520896.tif 000104
【図２６】
2009520896.tif 000105
【図２７】
2009520896.tif 000106
【図２８】
2009520896.tif 000107
【図２９】
2009520896.tif 000108
【図３０】
2009520896.tif 000109
【図３１】
2009520896.tif 000110
【図３２】
2009520896.tif 000111
【図３３】
2009520896.tif 000112
【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
便器の内側表面に容器から化学薬品をスプレーするための装置であって、
スプレーノズルであって、これを通って前記化学薬品を横方向に前記ノズルの周囲のまわりの少なくとも途中にスプレーすることができるスプレーノズルと、
前記スプレーノズルに流体連通するコンジットと、
前記便器のへりの近くに前記スプレーノズルを位置決めするための手段と、
を備える装置。
【請求項２】
エンクロージャの壁の内側表面に流体をスプレーするための装置であって、
前記流体用の容器と、
スプレーノズルであって、これを通って前記流体を横方向に流体噴霧器の周囲のまわりの少なくとも途中にスプレーすることができるスプレーノズルと、
前記エンクロージャの前記壁の前記内側表面の近くに前記流体噴霧器を取り付けるための手段と、
前記容器および前記流体噴霧器に流体連通する流体コンジットと、
流体を前記容器から前記流体コンジットを通って前記流体噴霧器へ送出するための流体送出手段であって、手動作動手段を含む流体送出手段と、
を備える装置。
【請求項３】
流体送出装置をエンクロージャの壁に隣接して装着するためのクリップであって、
基部と、
前記基部を前記壁に隣接して支持するように構成された装着装置と、
流体送出装置を前記基部に取り付けるための手段と、
前記基部に装着されたセンサと、
を備えるクリップ。
【国際調査報告】
2009520896.tif 000113
2009520896.tif 000114
2009520896.tif 000115